(57)【要約】  本発明は、無線通信ネットワークにおけるアクセスネットワーク領域へのユーザ端末ＵＴ（２４０）のアクセス制御を支援する方法及び手段を提供する。ＭＲＲＭ機能は前記通信ネットワークのＡ２エンティティと協業し、ＭＲＲＭ機能は次のステップを実行するように手配される：即ち、前記第２のアクセスネットワーク領域の、トラヒック負荷及び／または無線資源消費及び／または少なくとも１つの無線トラヒックチャネルの特性に関連する無線資源パラメータＰ２の少なくとも１つのパラメータ値Ｘ２を含む少なくとも１つの無線資源情報メッセージＲＲＩＭを、前記ネットワークの第２のアクセスネットワーク領域から受信し、少なくとも前記パラメータ値Ｘ２の関数である、前記ＵＴ（２４０）の前記第２のアクセスネットワーク領域へのアクセスを認めるための基準Ｃを定義し、前記ＵＴ（２４０）について前記基準Ｃが満たされているかどうかを検証し、前記ＵＴ（２４０）について前記基準Ｃが満たされている場合には前記第２のアクセスネットワーク領域への前記ＵＴ（２４０）のアクセスが承認されるということを前記第２の承認エンティティＡ２に指示し、前記ＵＴ（２４０）について前記基準Ｃが満たされていない場合には前記第２のアクセスネットワーク領域への前記ＵＴ（２４０）のアクセスが承認されないということを前記第２の承認エンティティＡ２に指示する。【選択図】図２
2008547354.tif 000002
【特許請求の範囲】
【請求項１】
無線通信ネットワークにおけるユーザ端末ＵＴ（２４０）のアクセスネットワーク領域へのアクセス制御を支援する方法であって、前記方法は前記通信ネットワークのマルチ無線資源管理ＭＲＲＭ機能に使用され、前記ＭＲＲＭ機能は第１の承認エンティティＡ１がＵＴのアクセスを承認する第１の無線アクセスネットワーク領域と通信し及び第２の承認エンティティＡ２がＵＴのアクセスを承認する少なくとも第２の無線アクセスネットワーク領域と通信するよう手配され、前記方法は：
前記第２のアクセスネットワーク領域に関連付けられた、トラヒック負荷及び／または無線資源消費及び／または少なくとも１つの無線トラヒックチャネルの特性に関連する少なくとも１つの無線資源パラメータＰ２の少なくとも１つのパラメータ値Ｘ２を含む少なくとも１つの無線資源情報メッセージＲＲＩＭを、前記第２のアクセスネットワーク領域から受信し、
少なくとも前記パラメータ値Ｘ２の関数である、前記ＵＴ（２４０）の前記第２のアクセスネットワーク領域へのアクセスを認めるための基準Ｃを定義し、
前記ＵＴ（２４０）について前記基準Ｃが満たされているかどうかを検証し、
前記ＵＴ（２４０）について前記基準Ｃが満たされている場合には前記第２のアクセスネットワーク領域への前記ＵＴ（２４０）のアクセスが承認されるということを前記第２の承認エンティティＡ２に指示し、前記ＵＴ（２４０）について前記基準Ｃが満たされていない場合には前記第２のアクセスネットワーク領域への前記ＵＴ（２４０）のアクセスが承認されないということを前記第２の承認エンティティＡ２に指示する、
ステップを含むことを特徴とする方法。
【請求項２】
前記第１のアクセスネットワーク領域に関連付けられた、トラヒック負荷及び／または無線資源消費及び／または少なくとも１つの無線トラヒックチャネルの特性に関連する少なくとも１つのパラメータＰ１の少なくとも１つのパラメータ値Ｘ１を含む少なくとも１つの無線資源情報メッセージＲＲＩＭを、前記第１のアクセスネットワーク領域から受信し、
少なくとも前記パラメータ値Ｘ１の関数である、前記基準Ｃを定義する、
ステップをさらに含むことを特徴とする、請求項１に記載の方法。
【請求項３】
前記Ｘ２は、スループット（Ｋｂ／ｓ）、総サービスユーザ（ＵＴ）数、（例えばＷまたはＳＩＲとしての）干渉値、総チャネルアクセス衝突数、送信電力（Ｗ）、としての前記第２のアクセスネットワーク領域に関連付けられた総トラヒック負荷を表し、または送信電力（Ｗ）、総サービスＵＴ数、使用される符号若しくはサブキャリア若しくはタイムスロットの総数、としての第２のアクセスネットワーク領域に関連付けられた無線資源消費を表し、またはＳＮＲ値、ＳＩＮＲ値、ＢＥＲ値、ＦＥＲ値、スループット値（Ｋｂ／ｓ）、若しくはパケット遅延値（ｍｓ）としての無線チャネル品質を表すことを特徴とする、請求項１に記載の方法。
【請求項４】
前記Ｘ１は、スループット（Ｋｂ／ｓ）、総サービスユーザ（ＵＴ）数、（例えばＷまたはＳＩＲとしての）干渉値、総チャネルアクセス衝突数、送信電力（Ｗ）、としての前記第１のアクセスネットワーク領域に関連付けられた総トラヒック負荷を表し、または送信電力（Ｗ）、総サービスＵＴ数、使用される符号若しくはサブキャリア若しくはタイムスロットの総数、としての第１のアクセスネットワーク領域に関連付けられた無線資源消費を表し、またはＳＮＲ値、ＳＩＲ値、ＢＥＲ値、ＦＥＲ値、スループット値（Ｋｂ／ｓ）、若しくはパケット遅延値（ｍｓ）としての無線チャネル品質を表すことを特徴とする、請求項２または請求項３のいずれかに記載の方法。
【請求項５】
前記第１のアクセスネットワーク領域は３ＧＰＰ移動無線ネットワークを形成し、及び前記第２のアクセスネットワーク領域はＩＥＥＥ８０２標準による若しくは携帯アプリケーション向け標準インターネットプロトコルＭＩＰによる無線データネットワークを形成することを特徴とし、または前記第２のアクセスネットワーク領域は３ＧＰＰ移動無線ネットワークを形成し、及び前記第１のアクセスネットワーク領域はＩＥＥＥ８０２標準による若しくは携帯アプリケーション向け標準インターネットプロトコルＭＩＰによる無線データネットワークを形成することを特徴とする、請求項１〜４のいずれかに記載の方法。
【請求項６】
前記基準Ｃの定義は：
前記無線資源パラメータＰ２についての最大許容閾値Ｘ２ＭＡＸを定義し、
前記第２のアクセスネットワーク領域へのアクセスを認められた前記ＵＴの結果としての前記パラメータＰ２の実効値Ｘ２ＥＳＴを評価し、
前記Ｘ２ＥＳＴが前記Ｘ２ＭＡＸを下回っている場合にのみ前記第２のアクセスネットワーク領域への前記ＵＴのアクセスを許可する、
ステップを含むことを特徴とする、請求項１〜５のいずれかに記載の方法。
【請求項７】
前記基準Ｃの定義は：
前記ＵＴ（２４０）により要求されるＱｏＳ値としての前記無線資源パラメータＰ２についての最小許容閾値Ｘ２ＭＩＮを定義し、
前記第２のアクセスネットワーク領域へのアクセスを認められた前記ＵＴ（２４０）の結果としての前記パラメータＰ２の実効値Ｘ２ＥＳＴを評価し、
前記Ｘ２ＥＳＴが前記Ｘ２ＭＩＮを上回っている場合にのみ前記第２のアクセスネットワーク領域への前記ＵＴ（２４０）のアクセスを許可する、
ステップを含むことを特徴とする、請求項１〜５のいずれかに記載の方法。
【請求項８】
前記Ｃを定義するステップは：
前記ＵＴ（２４０）が現在通信している前記第１のアクセスネットワーク領域または前記第１のアクセスネットワーク領域の特定の基地局（２５０）に関連付けられた総トラヒック負荷を表すパラメータ値である前記第１のアクセスネットワーク領域の現在のパラメータ値Ｘ１を選択し、
前記第２のアクセスネットワーク領域または前記第２のアクセスネットワーク領域の特定のアクセスノードＡＰ（２６５）に関連付けられた総トラヒック負荷を表すパラメータ値であって、前記第２のアクセスネットワーク領域へ前記ＵＴ（２４０）の通信セッションがハンドオーバされる場合の、前記第２のアクセスネットワーク領域についての対応するパラメータの実効値Ｘ２ＥＳＴを評価し、
前記実効値Ｘ２ＥＳＴが前記現在値Ｘ１を下回っている場合にのみ前記第２のアクセスネットワーク領域への前記ＵＴ（２４０）のアクセスを認めるように前記Ｃを定義する、
ステップを含むことを特徴とする、請求項２〜７のいずれかに記載の方法。
【請求項９】
前記Ｃを定義するステップは：
前記第１のアクセスネットワーク領域を通して現在通信している前記ＵＴ（２４０）の通信セッションに関連付けられたＱｏＳパラメータ値としての前記第１のアクセスネットワーク領域の現在のパラメータ値Ｘ１を選択し、
前記第１のアクセスネットワーク領域の代わりに前記第２のアクセスネットワーク領域を通して前記ＵＴ（２４０）が前記通信セッションをルーティングされる場合の対応するＱｏＳパラメータの実効値Ｘ２ＥＳＴを評価し、
前記実効値Ｘ２ＥＳＴが前記現在値Ｘ１を上回っている場合にのみ前記第２のアクセスネットワーク領域への前記ＵＴ（２４０）のアクセスを認めるように前記Ｃを定義する、
ステップを含むことを特徴とする、請求項２〜７のいずれかに記載の方法。
【請求項１０】
前記ＵＴ（２４０）について承認を与えることを前記Ａ２に指示した後に前記基準Ｃが継続して満たされているかを監視し、
前記ＵＴ（２４０）について前記Ｃがもはや満たされていないことを検証し、
前記ＵＴの前記第２のアクセスネットワーク領域へのアクセスの承認を取り消すことを前記Ａ２に指示する、
ステップをさらに含むことを特徴とする、請求項１〜９のいずれかに記載の方法。
【請求項１１】
少なくとも１つのＵＴ（２４０）の前記第２のアクセスネットワーク領域へのアクセスの承認に関する、前記基準Ｃの関数としてのグローバルアクセスポリシーを形成し、
前記第２のアクセスネットワーク領域及び／または前記第１のアクセスネットワーク領域に関連する無線資源パラメータを監視し、前記グローバルアクセスポリシーに従って少なくとも前記ＵＴ（２４０）についての承認ステータスを検証し、
前記グローバルポリシーに従って少なくとも前記ＵＴ（２４０）についての承認ステータスの変更を検知し、
承認指示を含むポリシー更新メッセージを形成し、
前記第２のアクセスネットワーク領域への前記ＵＴ（２４０）のアクセスが承認されているかを検証する役割を負う前記承認エンティティアプリケーションＡ２へ前記ポリシー更新メッセージを送信する、
ステップをさらに含むことを特徴とする、請求項１〜９のいずれかに記載の方法。
【請求項１２】
前記承認指示は、前記第２のアクセスネットワーク領域に関連付けられた最大または最小許容パラメータ値を含むことを特徴とする、請求項１１に記載の方法。
【請求項１３】
前記第２の承認エンティティＡ２に指示するステップは：
前記Ｃに基づく前記ＵＴの承認ステータスを示すアクセス許可識別子を含み及びＵＴ識別子を含むアクセスネットワーク領域アクセス応答メッセージを前記Ａ２エンティティへ送信する、
ステップを含むことを特徴とする、請求項１〜９のいずれかに記載の方法。
【請求項１４】
前記ＭＲＲＭ機能は単一のネットワークノード（２３５）内に位置するＭＲＲＭエンティティとして実現され、前記ＲＲＩＭメッセージは前記無線通信ネットワークの少なくとも１つの無線資源パラメータまたは無線資源パラメータの組合せに関連する複数のパラメータ値を含み、前記前記Ｃは前記複数のパラメータ値の関数であることを特徴とする、請求項１〜１３のいずれかに記載の方法。
【請求項１５】
無線通信ネットワークにおいて無線アクセスネットワーク領域に接続された承認ネットワークノード（２６３５）内に位置し、前記第２のアクセスネットワーク領域のローカル承認ポリシーに従ってＵＴ（２４０）の前記第２のアクセスネットワーク領域へのアクセスを承認する承認エンティティＡ２により用いられる承認方法であって、前記方法は：
ＵＴ（２４０）からの前記第２のアクセスネットワーク領域へのアクセス要求を受信し、
前記ローカル承認ポリシーに従って前記ＵＴ（２４０）の前記第２のアクセスネットワーク領域へのアクセスが承認されているかを検証し、
前記通信ネットワークのネットワークノード（２３５）内に位置するマルチ無線資源管理エンティティであって、前記通信ネットワークにおける複数の承認領域についてグローバル承認ポリシーを規定するよう手配されるマルチ無線資源管理エンティティからの、前記ローカル承認ポリシーよりも優先されるグローバル承認ポリシー更新メッセージを受信し、
前記ローカル承認ポリシーに従い及び前記グローバル承認ポリシーに従って前記ＵＴ（２４０）の前記第２のアクセスネットワーク領域へのアクセスが承認される場合にのみ前記ＵＴ（２４０）の前記第２のネットワーク領域へのアクセスの承認を与える、
ステップを含むことを特徴とする方法。
【請求項１６】
前記承認要求を前記ネットワークノード（２３５）内の前記マルチ無線資源管理エンティティへ転送し、
前記ＵＴ（２４０）の前記第２のアクセスネットワーク領域へのアクセスが認められるべきかどうかを示すアクセス許可識別子を前記ＵＴ（２４０）を識別するＵＴ識別子と共に含むアクセス応答メッセージの形式の前記グローバル承認ポリシー更新メッセージを前記ＭＲＲＭエンティティから受信する、
ステップをさらに含むことを特徴とする、請求項１５に記載の方法。
【請求項１７】
第１の承認エンティティＡ１がＵＴのアクセスを承認する統合無線通信ネットワーク内の第１のアクセスネットワーク領域と通信するよう手配され及び第２の承認エンティティＡ２がＵＴのアクセスを承認する前記通信ネットワーク内の第２のアクセスネットワーク領域と通信するよう手配されるネットワークノード（２３５）であって、請求項１〜１４のいずれかに記載の方法を実行する手段を備える前記ネットワークノード（２３５）。
【請求項１８】
保存されるプログラムコード手段を有するデータ保存手段を備え、及び処理手段であって前記プログラムコード手段が前記処理手段に読み込まれた場合に請求項１〜１４のいずれかに記載の方法を実現する少なくとも１つの手続を実行するようになる前記処理手段を備える、請求項１７に記載のネットワークノード（２３５）。
【請求項１９】
さらに前記第１のアクセスネットワーク領域と第１のデータポート（６００２）を介して通信し及び前記第２のアクセスネットワーク領域と第２のデータポート（６００３）を介して通信するよう手配される無線ネットワーク制御部ＲＮＣ（６３０）として手配される、請求項１７または請求項１８に記載のネットワークノード（２３５）。
【請求項２０】
保存されるプログラムコード手段を有するデータ保存手段を備え、及び処理手段であって前記プログラムコード手段が前記処理手段に読み込まれた場合にさらに請求項１５〜１６のいずれかに記載の方法を実現する少なくとも１つの手続を実行するようになる前記処理手段を備える、請求項１９に記載のネットワークノード（６３０）。
【請求項２１】
承認ネットワークノード（２６３５）内に位置する第２の承認エンティティＡ２がＵＴのアクセスを承認する統合無線通信ネットワーク内の第２のアクセスネットワーク領域と通信するよう手配される前記ネットワークノード（２６３５）であって、請求項１５〜１６のいずれかに記載の方法を実行する手段を備える前記承認ネットワークノード（２６３５）。
【請求項２２】
保存されるプログラムコード手段を有するデータ保存手段を備え、及び処理手段であって前記プログラムコード手段が前記処理手段に読み込まれた場合に請求項１５〜１６のいずれかに記載の方法を実現する少なくとも１つの手続を実行するようになる前記処理手段を備える、請求項２１に記載の承認ネットワークノード（２６３５）。
【請求項２３】
前記ネットワークノード（２６３５）は、ＥＡＰまたはＥＡＰ−ＴＬＳまたはＥＡＰ−ＴＴＬＳまたはＥＡＰ−ＰＥＡＰプロトコルを活用する、ＤＩＡＭＥＴＥＲまたはＲＡＤＩＵＳサーバとして実現されることを特徴とする、請求項２２に記載の承認ネットワークノード（２６３５）。
【請求項２４】
第１の承認エンティティＡ１がＵＴのアクセスを承認する第１のアクセスネットワーク領域と接続され及び第２の承認エンティティＡ２がＵＴのアクセスを承認する第２のアクセスネットワーク領域と接続されるネットワークノード（２３５）である、統合無線通信ネットワークの前記ネットワークノード（２３５）の処理手段に読み込まれた場合に、請求項１〜１４のいずれかに記載の方法を実現する少なくとも１つの手続を前記処理手段に実行させるプログラムコード手段を備える、コンピュータプログラム製品。
【請求項２５】
前記プログラムコード手段を保存させる、コンピュータにより読取可能な媒体を含む、請求項２４に記載のコンピュータプログラム製品。
【請求項２６】
前記ネットワークノード（２６３５）内に位置する第２の承認エンティティＡ２がＵＴのアクセスを承認する統合無線通信ネットワーク内の第２のアクセスネットワーク領域と通信するよう手配される承認ネットワークノード（２６３５）の処理手段に読み込まれた場合に、請求項１５または請求項１６のいずれかに記載の方法を実現する少なくとも１つの手続を前記処理手段に実行させるプログラムコード手段を備える、コンピュータプログラム製品。
【請求項２７】
前記手続は、前記方法の実現のためにＥＡＰまたはＥＡＰ−ＴＬＳまたはＥＡＰ−ＴＴＬＳまたはＥＡＰ−ＰＥＡＰプロトコルと共に、ＲＡＤＩＵＳまたはＤＩＡＭＥＴＥＲプロトコルを活用することを特徴とする、請求項２６に記載のコンピュータプログラム製品。
【請求項２８】
前記プログラムコード手段を保存させる、コンピュータにより読取可能な媒体を含む、請求項２６または請求項２７に記載のコンピュータプログラム製品。
【発明の詳細な説明】
【技術分野】
【０００１】
本発明は、一般的に統合無線通信ネットワークに関し、より具体的にはそうした統合ネットワークにおけるネットワークアクセス制御手段及び方法に関する。
【背景技術】
【０００２】
インターネットワーキング及び様々な無線アクセスネットワークの統合は、無線通信ネットワークの領域における一般的な傾向であって、例えば対象範囲及び容量に関するサービスを向上させようとするものである。一般的な要望は、多様な無線アクセスネットワークをより矛盾の無いものとする効率的な手段及び方法を見出すことであり、それは物理的なネットワーク及びサービスの円滑な統合を可能にする。よって、一般的な問題は、様々な無線アクセスネットワークの円滑な統合を可能とする効率的な手段及び方法を見つけることである。さらに、そうした統合ネットワークにおいては、円滑なハンドオーバの枠組み、効率的な干渉抑制及びアクセス制御の枠組みを提供するための効率的な手段及び方法を見つける必要がある。重要な問題は、そうした統合ネットワークにおいて無線リンク品質制御、信号伝達（ｓｉｇｎａｌｉｎｇ）の減少、パケット遅延などをどのように効率的なやり方で取り扱い／向上させるかに関連する。よって、一般的な問題は、そうした統合ネットワークのネットワークアクセス特性及びハンドオーバ特性を向上させる効率的な手段及び方法を見出すことである。
【０００３】
図１は、移動無線ネットワーク、即ちインターネット１７０に接続したＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）ネットワーク形式の第１の無線アクセスネットワーク、及び無線データネットワーク、即ちＷＬＡＮ（Ｗｉｒｅｌｅｓｓ  Ｌｏｃａｌ  Ａｒｅａ  Ｎｅｔｗｏｒｋ）の形式の第２の無線アクセスネットワークの基本的な構造を示している。ＷＬＡＮは通常、アクセスポイント制御部、ＡＰＣ１６２に接続された少なくとも１つの無線アクセスポイント、ＡＰ１６５を備える。移動無線ネットワークは、ＳＧＳＮ１２０に接続されたＧＧＳＮ１１０を備え、ＳＧＳＮ１２０は同様にＲＮＣ１３０に接続される。ＵＴＲＡＮ及びＷＬＡＮの両機能を有するデュアルモードＵＴ（利用者端末）１４０は、自身の第１のデータポート１４１を介して基地局ノードＢ１５０との間でＵＴＲＡＮ無線アクセスを、自身の第２のデータポート１４２を介してＷＬＡＮのＡＰ１６５との間でＷＬＡＮ無線アクセスを確立することができる。
【０００４】
ＵＴ１４０のＵＴＲＡＮネットワークへのアクセスの承認は、ＵＴ１４０がＵＴＲＡＮネットワークを介して通信セッションを確立することが可能となる前に、３ＧＰＰの承認、認証及び課金エンティティ（ｅｎｔｉｔｙ）ＡＡＡ１、１３１０、により従来の方式で行われる。ＡＡＡ１  １３１０は、ＵＴ１４０のＵＴＲＡＮネットワークへのアクセスが承認されるかどうかを検証するために、図１には示されていないＨＬＲ（Ｈｏｍｅ  Ｌｏｃａｔｉｏｎ  Ｒｅｇｉｓｔｅｒ）及びＶＬＲ（Ｖｉｓｉｔｉｎｇ  Ｌｏｃａｌ  Ｒｅｇｉｓｔｅｒ）と従来の方式で通信する。ＡＡＡ１  １３１０は、例えばＳＧＳＮ１２０内のようなＵＭＴＳコアネットワークのノードの１つの中に位置してもよく、または図１に示しているような例えばＳＧＳＮ１２０と接続されたスタンドアローンのＡＡＡ１サーバ１３１０内に位置してもよい。
【０００５】
ＵＴ１４０のＷＬＡＮネットワークへのアクセスの承認は同様に、ＵＴ１４０がＷＬＡＮネットワークを介して通信セッションを確立することが可能となる前に、例えばＡＡＡサーバなどのサーバ１６３０内に設置されたＷＬＡＮの承認、認証及び課金エンティティＡＡＡ２により従来の方式で検査される。図１に示しているように、ＡＰＣ１６２は、この目的のために、例えばＲＡＤＩＵＳ（Ｒｅｍｏｔｅ  Ａｕｔｈｅｎｔｉｃａｔｉｏｎ  Ｄｉａｌ−Ｉｎ  Ｕｓｅｒ  Ｓｅｒｉｖｉｃｅ）またはＤＩＡＭＥＴＥＲサーバといったサーバ１６３０にあるＡＡＡ２と従来の方式で通信する。その代わりに、ＡＡＡ２は例えばＡＰＣノード１６２内に位置してもよい。
【０００６】
ＷＬＡＮはＳＧＳＮ１２０若しくはＧＧＳＮ１１０またはインターネット１７０と従来の方式で接続されてもよく、図１はＧＧＳＮ１１０と接続された場合を示しており、その接続は図１に示されていないＡＲ（Ａｃｃｅｓｓ  Ｒｏｕｔｅｒ）及び／またはＩＰネットワークを経由して行い得る。データ通信セッションの確立は、ＵＴ１４０とインターネット１７０に接続された通信相手との間で、例えばパケット無線データサービスに関する３ＧＰＰ標準に従ったＵＴ１４０とＧＧＳＮ１１０との間の従来型のＰＤＰ（Ｐａｃｋｅｔ  Ｄａｔａ  Ｐｒｏｔｏｃｏｌ）コンテキストセッションの手段によって、またはＷＬＡＮを通した従来型のデータセッションの手段によって、ＵＴ１４０のＵＴＲＡＮ／ＷＬＡＮネットワークへのアクセスが承認されているかを検証した後に行うことができる。
【０００７】
図１に示されたネットワーク構造に関連する問題は、統合されたＵＴＲＡＮ−ＷＬＡＮネットワークの全体の無線資源の効率的な制御、またはトラヒックのＵＴＲＡＮネットワーク及びＷＬＡＮネットワーク間の負荷分散が行われないことである。その代わりに、無線資源はローカルネットワークの基準で個別に管理され、即ちＲＮＣ１３０がＵＴＲＡＮネットワークの無線資源を管理及び制御し、ＡＰＣ１６２及び／またはＡＰがＷＬＡＮネットワークの無線資源を管理及び制御するが、このことがＵＴＲＡＮ−ＷＬＡＮ統合ネットワークの全体の効率的な活用を獲得するための問題を構成する。
【０００８】
より具体的には、特定のサブネットワーク、即ちＷＬＡＮ及びＵＴＲＡＮへのＵＴ（１４０）のアクセスのコスト効率のよい物理的制御をいかに獲得するのかということが、問題となる。
【発明の開示】
【０００９】
本発明は、前述の問題を軽減させ／解決しようとするものである。
【００１０】
本発明の目的は、様々な無線アクセスネットワークのコスト効率のよい統合を可能とする方法及び手段を提供することである。
【００１１】
さらなる目的は、そうした統合ネットワークのアクセス特性及びハンドオーバ特性を向上することである。
【００１２】
本発明のまたさらなる目的は、そうした統合ネットワークの全体の容量を増加させることである。
【００１３】
本発明のさらなる目的は、第１の承認エンティティ（Ａｕｔｈｏｒｉｚａｔｉｏｎ  Ｅｎｔｉｒｙ）Ａ１が利用者端末のアクセスを承認する第１の無線アクセスネットワーク領域を、第２の承認エンティティＡ２が利用者端末のアクセスを承認する第２の無線アクセスネットワーク領域と統合させるための、コスト効率のよい方法及び手段を提供することである。
【００１４】
第１の観点によれば、本発明は、無線通信ネットワークにおけるユーザ端末ＵＴのアクセスネットワーク領域へのアクセス制御を支援する方法であって、前記方法は前記通信ネットワークのマルチ無線資源管理ＭＲＲＭ機能に使用され、前記ＭＲＲＭ機能は第１の承認エンティティＡ１がＵＴのアクセスを承認する第１の無線アクセスネットワーク領域と通信し及び第２の承認エンティティＡ２がＵＴのアクセスを承認する少なくとも第２の無線アクセスネットワーク領域と通信するよう手配され：
‐前記第２のアクセスネットワーク領域に関連付けられた、トラヒック負荷及び／または無線資源消費及び／または少なくとも１つの無線トラヒックチャネルの特性に関連する無線資源パラメータＰ２の少なくとも１つのパラメータ値Ｘ２を含む少なくとも１つの無線資源情報メッセージＲＲＩＭを、前記第２のアクセスネットワーク領域から受信し、
‐少なくとも前記パラメータ値Ｘ２の関数である、前記ＵＴの前記第２のアクセスネットワーク領域へのアクセスを認めるための基準Ｃを定義し、
‐前記ＵＴについて前記基準Ｃが満たされているかどうかを検証し、
前記ＵＴについて前記基準Ｃが満たされている場合には前記第２のアクセスネットワーク領域への前記ＵＴのアクセスが承認されるということを前記第２の承認エンティティＡ２に指示し、前記ＵＴについて前記基準Ｃが満たされていない場合には前記第２のアクセスネットワーク領域への前記ＵＴのアクセスが承認されないということを前記第２の承認エンティティＡ２に指示する、
ステップを含むことを特徴とする方法を提供することにより、これら目的を達成する。
【００１５】
１つの実施形態において、本方法は、
‐前記第１のアクセスネットワーク領域の、トラヒック負荷及び／または無線資源消費及び／または少なくとも１つの無線トラヒックチャネルの特性に関連する少なくとも１つのパラメータＰ１の少なくとも１つのパラメータ値Ｘ１を含む少なくとも１つの無線資源情報メッセージＲＲＩＭを、前記第１のアクセスネットワーク領域から受信し、
‐少なくとも前記パラメータ値Ｘ１の関数である、前記基準Ｃを定義する、
ステップをさらに含む。
【００１６】
１つの実施形態において、前記Ｘ２は、スループット（Ｋｂ／ｓ）、総サービスユーザ（ＵＴ）数、（例えばＷまたはＳＩＲとしての）干渉値、総チャネルアクセス衝突数、送信電力（Ｗ）、としての前記第２のアクセスネットワーク領域に関連付けられた総トラヒック負荷を表し、または送信電力（Ｗ）、総サービスＵＴ数、使用される符号若しくはサブキャリア若しくはタイムスロットの総数、としての第２のアクセスネットワーク領域に関連付けられた無線資源消費を表し、または例えばＳＮＲ値、ＳＩＮＲ値、ＢＥＲ値、ＦＥＲ値、スループット値（Ｋｂ／ｓ）、若しくはパケット遅延値（ｍｓ）としての無線チャネル品質を表す。
【００１７】
１つの実施形態において、前記Ｘ１は、スループット（Ｋｂ／ｓ）、総サービスユーザ（ＵＴ）数、干渉値（ＳＩＲ）、総チャネルアクセス衝突数、送信電力（Ｗ）、としての前記第１のアクセスネットワーク領域に関連付けられた総トラヒック負荷を表し、または送信電力（Ｗ）、総サービスＵＴ数、使用される符号若しくはサブキャリア若しくはタイムスロットの総数、としての第１のアクセスネットワーク領域に関連付けられた無線資源消費を表し、または例えばＳＮＲ値、ＳＩＲ値、ＢＥＲ値、ＦＥＲ値、スループット値（Ｋｂ／ｓ）、若しくはパケット遅延値（ｍｓ）としての無線チャネル品質を表す。
【００１８】
１つの実施形態において、前記第１のアクセスネットワーク領域は３ＧＰＰ移動無線ネットワークを形成し、及び前記第２のアクセスネットワーク領域はＩＥＥＥ８０２標準による若しくは携帯アプリケーション向け標準インターネットプロトコルＭＩＰによる無線データネットワークを形成する。
【００１９】
１つの実施形態において、前記基準Ｃの定義は：
前記無線資源パラメータＰ２についての最大許容閾値Ｘ２ＭＡＸを定義し、
前記第２のアクセスネットワーク領域へのアクセスを認められた前記ＵＴの結果としての前記パラメータＰ２の実効値Ｘ２ＥＳＴを評価し、
前記Ｘ２ＥＳＴが前記Ｘ２ＭＡＸを下回っている場合にのみ前記第２のアクセスネットワーク領域への前記ＵＴのアクセスを許可する、
ステップを含む。
【００２０】
前記Ｘ２は、例えばスループット（Ｋｂ／ｓ）、総サービスユーザ（ＵＴ）数、干渉レベルの値（、ＳＩＲ）、チャネルアクセス衝突数、送信電力（Ｗ）、としての前記第２のアクセスネットワーク領域または前記領域のアクセスポイントに関連付けられた総トラヒック負荷を表し、または送信電力（Ｗ）、総サービスＵＴ数、使用される符号若しくはサブキャリア若しくはタイムスロットの総数、としての第２のアクセスネットワーク領域または前記領域のアクセスポイントに関連付けられた無線資源消費を表し、または前記第１のアクセスネットワーク領域または前記第１のアクセスネットワーク領域の特定の無線基地局に関連付けられた、前記ＵＴに関連付けられたＱｏＳパラメータ値を表してもよい。前記Ｘ２ＭＡＸは、ＢＥＲ値、ＦＥＲ値、パケット遅延値（ｍｓ）としての前記第１のアクセスネットワーク領域を通して現在通信する前記ＵＴの無線チャネル品質を表す。Ｘ２ＭＡＸは、例えばパケット遅延値、ＢＥＲ、ＦＥＲとしての前記ＵＴの通信セッションに関連付けられたＱｏＳ値を表してもよい。
【００２１】
１つの実施形態において、前記基準Ｃの定義は：
前記ＵＴにより要求されるＱｏＳ値としての前記無線資源パラメータＰ２についての最小許容閾値Ｘ２ＭＩＮを定義し、
前記第２のアクセスネットワーク領域へのアクセスを認められた前記ＵＴの結果としての前記パラメータＰ２の実効値Ｘ２ＥＳＴを評価し、
前記Ｘ２ＥＳＴが前記Ｘ２ＭＩＮを上回っている場合にのみ前記第２のアクセスネットワーク領域への前記ＵＴのアクセスを許可する、
ステップを含む。
【００２２】
前記ＵＴにより要求されるＱｏＳ値は、前記ＵＴの通信セッションに関連付けられた、例えばビットレート（ＢＲ）、パケット遅延、遅延ジッタ、前記ＵＴのセキュリティ要件、または許容し得るＢＥＲ若しくはＦＥＲであってもよい。
【００２３】
１つの実施形態において、前記Ｃを定義するステップは：
前記ＵＴが現在通信している前記第１のアクセスネットワーク領域または前記第１のアクセスネットワーク領域の特定の基地局に関連付けられた総トラヒック負荷を表すパラメータ値である前記第１のアクセスネットワーク領域の現在のパラメータ値Ｘ１を選択し、
前記第２のアクセスネットワーク領域または前記第２のアクセスネットワーク領域の特定のアクセスノードＡＰに関連付けられた総トラヒック負荷を表すパラメータ値であって、前記第２のアクセスネットワーク領域へ前記ＵＴの通信セッションがハンドオーバされる場合の、前記第２のアクセスネットワーク領域についての対応するパラメータの実効値Ｘ２ＥＳＴを評価し、
前記実効値Ｘ２ＥＳＴが前記現在値Ｘ１を下回っている場合にのみ前記第２のアクセスネットワーク領域への前記ＵＴのアクセスを認めるように前記Ｃを定義する、
ステップを含む。
【００２４】
前記パラメータＸ１及びＸ２ＥＳＴは、それぞれ前記アクセスネットワーク領域に関連付けられた、例えばスループット（Ｋｂ／ｓ）、総サービスユーザ（ＵＴ）数、干渉レベルの値（ＳＩＲ）、チャネルアクセス衝突数、送信電力（Ｗ）、としての総トラヒック負荷を表してもよく、またはそれぞれ前記アクセスネットワーク領域に関連付けられた、送信電力（Ｗ）、総サービスＵＴ数、使用される符号若しくはサブキャリア若しくはタイムスロットの総数、としての無線資源消費を表してもよい。
【００２５】
１つの実施形態において、前記Ｃを定義するステップは：
前記第１のアクセスネットワーク領域を通して現在通信している前記ＵＴの通信セッション無線トラヒックチャネル品質の表現に関連付けられたＱｏＳパラメータ値としての前記第１のアクセスネットワーク領域の現在のパラメータ値Ｘ１を選択し、
前記ＵＴが前記第２のアクセスネットワーク領域へのハンドオーバの実行のために前記第２のアクセスネットワークへのアクセスを認められる場合、前記第１のアクセスネットワーク領域の代わりに前記第２のアクセスネットワーク領域を通して前記ＵＴが前記通信セッションを通信してルーティングされる場合の対応するＱｏＳトラヒックチャネル品質パラメータの実効値Ｘ２ＥＳＴを評価し、
前記実効値Ｘ２ＥＳＴが前記現在値Ｘ１を上回っている場合にのみ前記第２のアクセスネットワーク領域への前記ＵＴのアクセスを認めるように前記Ｃを定義する、
ステップを含む。
【００２６】
本実施形態によれば、前記Ｘ１及びＸ２ＥＳＴは、スループット、ＳＩＲまたはＳＮＲとしての、前記ＵＴの通信セッションに関連付けられたＱｏＳパラメータであってもよい。
【００２７】
１つの実施形態において、本発明に係る方法は：
前記ＵＴについて承認を与えることを前記Ａ２に指示した後に前記基準Ｃが継続して満たされているかを監視し、
前記ＵＴについて前記Ｃがもはや満たされていないことを検証し、
前記ＵＴの前記第２のアクセスネットワーク領域へのアクセスの承認を取り消すことを前記Ａ２に指示する、
ステップをさらに含む。
【００２８】
１つの実施形態において、本発明に係る方法は：
少なくとも１つのＵＴの前記第２のアクセスネットワーク領域へのアクセスの承認に関する、前記基準Ｃの関数としてのグローバルアクセスポリシーを形成し、
前記第２のアクセスネットワーク領域及び／または前記第１のアクセスネットワーク領域に関連する無線資源パラメータを監視し、前記グローバルアクセスポリシーに従って少なくとも前記ＵＴについての承認ステータスを検証し、
前記グローバルポリシーに従って少なくとも前記ＵＴについての承認ステータスの変更を検知し、
承認指示を含むポリシー更新メッセージを形成し、
前記第２のアクセスネットワーク領域への前記ＵＴのアクセスが承認されているかを検証する役割を負う前記承認エンティティアプリケーションＡ２へ前記ポリシー更新メッセージを送信する、
ステップをさらに含む。
【００２９】
前記承認指示は、例えばサービスを受けるユーザとしての、前記第２のアクセスネットワーク領域に関連付けられた最大または最小許容パラメータ値を含む。
【００３０】
１つの実施形態において、前記第２の承認エンティティＡ２に指示するステップは：
前記Ｃに基づく前記ＵＴの承認ステータスを示すアクセス許可識別子を含み及びＵＴ識別子を含むアクセスネットワーク領域アクセス応答メッセージを前記Ａ２エンティティへ送信する、
ステップを含む。
【００３１】
１つの実施形態において、前記ＭＲＲＭ機能は単一のネットワークノード内に位置するＭＲＲＭエンティティとして実現され、前記ＲＲＩＭメッセージは前記無線通信ネットワークの異なる少なくとも１つの無線資源パラメータまたは無線資源パラメータの組合せに関連する複数のパラメータ値を含み、前記前記Ｃは前記複数のパラメータ値の関数である。
【００３２】
第２の観点によれば、本発明は、無線通信ネットワークにおいて無線アクセスネットワーク領域に接続された承認ネットワークノード内に位置し、前記第２のアクセスネットワーク領域のローカル承認ポリシーに従ってＵＴの前記第２のアクセスネットワーク領域へのアクセスを承認する承認エンティティＡ２により用いられる承認方法であって：
ＵＴからの前記第２のアクセスネットワーク領域へのアクセス要求を受信し、
前記ローカル承認ポリシーに従って前記ＵＴの前記第２のアクセスネットワーク領域へのアクセスが承認されているかを検証し、
前記通信ネットワークのネットワークノード内に位置するマルチ無線資源管理エンティティであって、前記通信ネットワークにおける複数の承認領域についてグローバル承認ポリシーを規定するよう手配されるマルチ無線資源管理エンティティからの、前記ローカル承認ポリシーよりも優先されるグローバル承認ポリシー更新メッセージを受信し、
前記ローカル承認ポリシーに従い及び前記グローバル承認ポリシーに従って前記ＵＴの前記第２のアクセスネットワーク領域へのアクセスが承認される場合にのみ前記ＵＴの前記第２のネットワーク領域へのアクセスの承認を与える、
ステップを含むことを特徴とする方法を提供する。
【００３３】
１つの実施形態において、本方法は：
前記承認要求を前記ネットワークノード内の前記マルチ無線資源管理エンティティへ転送し、
前記ＵＴの前記第２のアクセスネットワーク領域へのアクセスが認められるべきかどうかを示すアクセス許可識別子を前記ＵＴを識別するＵＴ識別子と共に含むアクセス応答メッセージの形式の前記グローバル承認ポリシー更新メッセージを前記ＭＲＲＭエンティティから受信する、
ステップを含む。
【００３４】
第３の観点によれば、本発明は、第１の承認エンティティＡ１がＵＴのアクセスを承認する統合無線通信ネットワーク内の第１のアクセスネットワーク領域と通信するよう手配され及び第２の承認エンティティＡ２がＵＴのアクセスを承認する前記通信ネットワーク内の第２のアクセスネットワーク領域と通信するよう手配されるネットワークノードであって、本発明の第１の観点による方法を実行する手段を備える前記ネットワークノードを提供する。
【００３５】
１つの実施形態において、ネットワークノードは、保存されるプログラムコード手段を有するデータ保存手段を備え、及び処理手段であって前記プログラムコード手段が前記処理手段に読み込まれた場合に本発明の第１の観点による方法を実現する少なくとも１つの手続を実行するようになる前記処理手段を備える。
【００３６】
１つの実施形態において、ネットワークノードはさらに、前記第１のアクセスネットワーク領域と第１のデータポートを介して通信し及び前記第２のアクセスネットワーク領域と第２のデータポートを介して通信するよう手配される無線ネットワーク制御部ＲＮＣとして手配される。
【００３７】
１つの実施形態において、ネットワークノードは、保存されるプログラムコード手段を有するデータ保存手段を備え、及び処理手段であって前記プログラムコード手段が前記処理手段に読み込まれた場合にさらに本発明の第２の観点による方法を実現する少なくとも１つの手続を実行するようになる前記処理手段を備える。
【００３８】
第４の観点によれば、本発明は、承認ネットワークノード内に位置する第２の承認エンティティＡ２がＵＴのアクセスを承認する統合無線通信ネットワーク内の第２のアクセスネットワーク領域と通信するよう手配される前記ネットワークノードであって、本発明の第２の観点による方法を実行する手段を備える前記承認ネットワークノードを提供する。
【００３９】
１つの実施形態において、承認ネットワークノードは、保存されるプログラムコード手段を有するデータ保存手段を備え、及び処理手段であって前記プログラムコード手段が前記処理手段に読み込まれた場合に本発明の第２の観点による方法を実現する少なくとも１つの手続を実行するようになる前記処理手段を備える。
【００４０】
１つの実施形態において、承認ネットワークノードは、ＥＡＰまたはＥＡＰ−ＴＬＳまたはＥＡＰ−ＴＴＬＳまたはＥＡＰ−ＰＥＡＰプロトコルを活用する、ＤＩＡＭＥＴＥＲまたはＲＡＤＩＵＳサーバとして実現される。
【００４１】
第５の観点によれば、本発明は、第１の承認エンティティＡ１がＵＴのアクセスを承認する第１のアクセスネットワーク領域と接続され及び第２の承認エンティティＡ２がＵＴのアクセスを承認する第２のアクセスネットワーク領域と接続されるネットワークノードである、統合無線通信ネットワークの前記ネットワークノードの処理手段に読み込まれた場合に、本発明の第１の観点による方法を実現する少なくとも１つの手続を前記処理手段に実行させるプログラムコード手段を備える、コンピュータプログラム製品を提供する。
【００４２】
１つの実施形態において、コンピュータプログラム製品は、前記プログラムコード手段を保存させる、例えばＣＤ−ＲＯＭなどのコンピュータにより読取可能な媒体を含む。
【００４３】
第６の観点によれば、本発明は、前記ネットワークノード内に位置する第２の承認エンティティＡ２がＵＴのアクセスを承認する統合無線通信ネットワーク内の第２のアクセスネットワーク領域と通信するよう手配される承認ネットワークノードの処理手段に読み込まれた場合に、本発明の第２の観点による方法を実現する少なくとも１つの手続を前記処理手段に実行させるプログラムコード手段を備える、コンピュータプログラム製品を提供する。
【００４４】
１つの実施形態において、本プログラム製品の手続は、前記方法の実現のためにＥＡＰまたはＥＡＰ−ＴＬＳまたはＥＡＰ−ＴＴＬＳまたはＥＡＰ−ＰＥＡＰプロトコルと共に、ＲＡＤＩＵＳまたはＤＩＡＭＥＴＥＲプロトコルを活用する。
【００４５】
１つの実施形態において、前記プログラムコード手段を保存させる、コンピュータにより読取可能な媒体を含む。
【００４６】
ここまで本発明の概略が述べられてきたが、本発明は添付された請求項１〜２８によって定義付けられる。
【００４７】
本発明の特徴及び利点は、添付図面を参照することと共に、以下の好適な実施形態の詳細な説明からより明らかとなる。
【発明を実施するための最良の形態】
【００４８】
これより、図２〜１１を参照しながら、本発明はより詳細に説明される。
【００４９】
図１〜１１において、例えば図２のＲＮＣ２３０が図６ではＲＮＣ６３０として参照されるなど、対応する要素には図面の番号を頭に付した同一の参照番号が与えられている。
【００５０】
図２は、本発明の１つの実施形態によるネットワーク構造を示している。図２におけるアクセスネットワーク１及び２は、例えば２つのＵＴＲＡＮ、または１つのＵＴＲＡＮと１つのＷＬＡＮといったどういった無線アクセスネットワークであってもよい。本発明による重要な点は、図２の第１のアクセスネットワーク領域（ａｃｃｅｓｓ  ｎｅｔｗｏｒｋ  ｄｏｍａｉｎ）を形成するアクセスネットワーク１へのＵＴ（例えば２４０、２４３）のアクセスをネットワークノード２３１０内に位置する第１の承認エンティティＡ１が承認し、第２のアクセスネットワーク領域を形成するアクセスネットワーク２へのＵＴのアクセスを第２の承認エンティティＡ２が承認することである。よって、“無線アクセスネットワーク領域”という言葉は、ここでは当該無線アクセスネットワークへのＵＴのアクセスを当該無線アクセスネットワークのローカルの承認ポリシーに従って承認する役割を果たす特定の承認エンティティに制御されたいかなる無線アクセスネットワークとしても解釈される。図２において、２つだけのアクセスネットワーク領域が示されているが、本発明はどれだけの数のアクセスネットワーク領域に対しても適用可能であることが理解されるべきである。通常、ローカルの承認ポリシーは、問題のアクセスネットワークを運営する運用者によって決定される。図２においては、エンティティＡ２はアクセスネットワーク２に接続される独立したスタンドアローンのネットワークノード２６３５内に位置しているが、本発明はこれに限られない。よって、図２においてアクセスネットワーク１が第１のアクセスネットワーク領域に相当し、アクセスネットワーク２が第２のアクセスネットワーク領域に相当する。図２に示された実施形態によると、第１の独立したネットワークノード２３５内にＭＲＲＭ（Ｍｕｌｔｉ  Ｒａｄｉｏ  Ｒｅｓｏｕｒｃｅ  Ｍａｎａｇｅｍｅｎｔ：マルチ無線資源管理）エンティティが位置しているが、本発明はこれに限られない。ＭＲＲＭエンティティは、例えばこれ以降に説明するようにＲＮＣ２３０などの広い範囲のノード内に位置してもよく、またはネットワークの分散ＭＲＲＭ機能を共に形成する複数のノードの手段、即ちＭＲＲＭ機能がそれぞれ独立したネットワークノード内に位置する多数のＭＲＲＭエンティティによって形成されることによって実現されてもよい。ＭＲＲＭエンティティは、後述するように、アクセスネットワーク２の無線／（及び、または）ネットワークパラメータ値、また任意にアクセスネットワーク１からのそれら値を含むＭＲＲＭメッセージを受信するように手配される。本発明によれば、後述するように、ＭＲＲＭエンティティはさらに少なくとも第２のネットワーク領域（及び任意に第１のアクセスネットワーク領域）へのＵＴ（２４０及び２４３）のアクセスを制御するよう手配される。図２において、アクセスネットワーク２はＡＰＣ２６２及びＡＰ２６５を備えるＷＬＡＮとして示され、アクセスネットワーク１は基地局ノード２５０、２５１（ノードＢ）、ＲＮＣ２３０及びＤＲＮＣ２３１を備えるＵＴＲＡＮとして示されているが、本発明は決してこれに限定されず、アクセスネットワーク１及び２の両方とも、前述の通り、例え��ＵＴＲＡＮネットワーク、または他の何らかの適した無線アクセスネットワークであってもよい。例として、アクセスネットワーク１は、自身のネットワークへのアクセスの承認のためにエンティティＡ１を用いて第１のＵＴＲＡＮ運用者によって運営され、アクセスネットワーク２は、自身のネットワークへのアクセスの承認のためにエンティティＡ２を用いて第２のＵＴＲＡＮ運用者によって運営されてもよい。図２において示された実施形態によるネットワーク構造は、アクセスネットワーク、即ちＵＴＲＡＮ及びＷＬＡＮの軽微な修正しか要さないことから、サービスに用いられ得る統合アクセスネットワークを生成するために有利である。
【００５１】
図３は、本発明の他の実施形態によるネットワーク構造を示している。図３において、第１のアクセスネットワーク領域はＵＭＴＳネットワークであり、第２のアクセスネットワーク領域はＷＬＡＮである。ＵＭＴＳ無線アクセスネットワークは、通常はノードＢ３５０により示された基地局、ＲＮＣ３３０により示されたＲＮＣを備える。本実施形態によれば、ＵＴのＷＬＡＮへのアクセスを承認する役割を果たす承認エンティティＡ２とＭＲＲＭエンティティの両方が、ＵＭＴＳネットワークのＲＮＣ３３０内に位置する。承認エンティティＡ１は、通常はＵＭＴＳコアネットワークの独立したネットワークノード３３１０内に位置し、図１を参照しながら既に説明した従来の承認エンティティ、即ち従来の３ＧＰＰ  ＡＡＡエンティティの一部を形成してもよい。ＷＬＡＮは、図３においてＡＰ３６５により示されているＡＰと、ＡＰＣ３６２により示されるＡＰＣとを備える。有利な点として、ＡＰＣ３６２はＲＮＣ３３０に接続され、効率的なハンドオーバの枠組みを可能としているが、これはＲＮＣ２３０のＭＲＲＭエンティティが、より“高度化された（ｅｎｈａｎｃｅｄ）”従来の３ＧＰＰ  ＲＲＭエンティティとして機能し、後述するようにＷＬＡＮとＵＴＲＡＮの両方からのＲＲＭ情報にアクセスを有する“適切な（ｒｉｇｈｔ）”ノード内に位置するためである。ＵＴ３４０は、ＵＭＴＳネットワークとＷＬＡＮを介して通信可能な、即ちＷＬＡＮとＵＭＴＳ−ＵＴＲＡＮを介してデータセッションを確立可能な、デュアルモードＵＴであってもよい。よって、図３に示された実施形態によるネットワーク構造は、ＭＲＲＭエンティティを従来のＵＴＲＡＮ  ＲＲＭノード、即ちＲＮＣ３３０内に位置させるという有利な点を有し、効率的かつ“高度化された”
従来の方式のＵＴＲＡＮ  ＲＲＭ機能を実現する可能性を提供するが、これはＲＮＣ３３０が全ての従来のＲＲＭ  ＵＴＲＡＮ情報に簡便なアクセスを有するためである。さらに、いわゆる当業者であれば、後述する本発明に係る方法、即ちＭＲＲＭエンティティ及びＡ２エンティティについて説明される機能の記述を読むことで理解するように、Ａ２エンティティをＭＲＲＭエンティティと同じノード内に位置させることは、ネットワークの信号伝達やネットワークアクセスの遅延などの減少といった利点を与える。Ａ２エンティティは、図１に示された従来のＷＬＡＮ  ＡＡＡエンティティの修正された承認エンティティとしてもよい。いわゆる当業者には、後述するＭＲＲＭエンティティ及びＡ２エンティティの機能の記述を読むことで、そうしたＭＲＲＭエンティティ及びＡ２エンティティをどのようにして実現するかが明白となる。
【００５２】
図４は、本発明の１つの実施形態による他の可能なネットワーク構造を示している。ＭＲＲＭエンティティ及びＡ２エンティティは、ここではＲＮＣ４３０及びＡＰＣ４６２に接続された例えばＲＡＤＩＵＳまたはＤＩＡＭＥＴＥＲサーバとしてもよい同一のネットワークノード４３５内に位置し、ＭＲＲＭエンティティ及びＡ２エンティティが図４のＵＴＲＡＮアクセスネットワーク１及びＷＬＡＮアクセスネットワーク２と通信することが可能となっている。図４の他のネットワークノード／成分、即ちＡ１エンティティ４３１０、ＵＴ４４０、ノードＢ４５０、及びＡＰ４６５は、本発明のよりよい理解のために示されている。ＲＮＣ４３０はノードＢ４５０と統合させることができ、ＡＰＣ４６２はＡＰ４６５と統合させることができる。図４に示されたネットワーク構造の持つ利点は、ネットワークノード４３５が制御プレーン機能と信号伝達のみを扱うことであり、これはネットワークと共にユーザプレーンのデータ処理と制御プレーンのデータ処理との間の明確な区分を取得するために望ましいと言える。
【００５３】
図５は、本発明の１つの実施形態によるさらに他の可能なネットワーク構造を示している。ＭＲＲＭエンティティ、Ａ１エンティティ、及びＡ２エンティティは、ここではＲＮＣ５３０内に位置している。図５の他のネットワークノード／成分、即ちＡＰＣ５６２、ＵＴ５４０、ノードＢ５５０、及びＡＰ５６５は、本発明のよりよい理解のために示されている。図５に示されたネットワーク構造の持つ利点は、サービスに用いられ得る統合ネットワークを提供するためにアクセスネットワークの軽微な修正しか要さない、コスト効率のよい代替手段が提供されることである。
【００５４】
図６を参照すると、第１のアクセスネットワーク領域が３ＧＰＰ  ＵＴＲＡＮ、第２の代替的なアクセスネットワーク領域がＷＬＡＮ、即ちＩＥＥＥ８０２．１１標準に従ったものであるという具体的な場合について本発明が示されており、ここではＭＲＲＭエンティティ及びＡ２エンティティはＲＮＣ６３０内に位置している。なお、これは単に説明のための例であって、本発明は、例えばＧＳＭ移動無線ネットワーク、ＩＳ−９５移動無線ネットワークなどの何らかの移動無線ネットワーク、及び例えば無線パーソナルエリアネットワーク（ＷＰＡＮ、ＩＥＥ８０２．１５）、無線メトロポリタンエリアネットワーク（ＷＭＡＮ、ＩＥＥＥ８０２．１６）、携帯ブロードバンド無線アクセス（ＭＢＷＡ、ＩＥＥＥ８０２．２０）、無線リジョナルエリアネットワーク（ＷＲＡＮ、ＩＥＥＥ８０２．２２）などといったＩＥＥＥ８０２標準のプロトコル群による何らかのレイヤ２の無線ネットワーク（Ｌ２−ＲＮ）にも適用可能であることが理解されるべきである。さらに、説明のための例として、ＵＴＲＡＮは、例えばＳＧＳＮ６２０，ＧＧＳＮ６１０を含む中間ＵＭＴＳ（Ｕｎｉｖｅｒｓａｌ  Ｍｏｂｉｌｅ  Ｔｅｒｒｅｓｔｒｉａｌ  Ｓｙｓｔｅｍ）ネットワークを介してインターネット６７０に接続される。本発明による重要な点は、既に説明したように、第１のアクセスネットワークが第１のアクセスネットワーク領域を構成し、第２の代替的なアクセスネットワークが第２のネットワーク領域を構成する点である。ＷＬＡＮの従来のレイヤ２イーサネット（登録商標）スイッチ（ＡＰＣ）はこれ以降、Ｍ−Ｌ２Ｓ（マルチキャスト可能なレイヤ２スイッチ）として参照される。イーサネット（ＩＥＥＥ８０２．３）プロトコルは固定されたネットワーク基盤と通信するＷＬＡＮのレイヤ２のプロトコルのほとんどに使用されることから、Ｍ−Ｌ２Ｓはイーサネットスイッチと同義である。図６において、ＲＮＣ６３０はＭ−Ｌ２Ｓ６０１と接続され、Ｍ−Ｌ２Ｓ６０１はアクセスポイントＡＰ６６５と接続されるが、多くの他の可能性も存在する。複数のＡＰが、直接ＲＮＣ６３０に、またはＲＮＣ６３０と接続する複数の中間的なＭ−Ｌ２Ｓに接続されてもよい。ＡＰとＭ−Ｌ２Ｓの間の伝送経路には、複数のＭ−Ｌ２Ｓがあってもよい。通常、レイヤ２のメッセージのＷＬＡＮ内での配信またはマルチキャストを手助けするために、ＲＮＣ６３０は単一のＭ−Ｌ２Ｓを介してＷＬＡＮと接続される。ＲＮＣ６３０は、独立のＲＮＣデータポートを介してＳＧＳＮ６２０と接続され、ＲＮＣデータポート６００２を介してノードＢ６５０と接続される。ＲＮＣ６３０は、さらにＲＮＣデータポート６００３を介してＭ−Ｌ２Ｓと接続される。ＲＮＣ６３０は、無線データネットワークへのアクセスを要求するＵＴを認証する役割を果たす、即ちローカル認証ポリシーに従ってＷＬＡＮへのＵＴのアクセスを認証するかどうかを規定する、インストールされた認証（ａｕｔｈｅｎｔｉｃａｔｉｏｎ）アプリケーションエンティティＡ２を有する。Ａ２エンティティ及びその機能は、さらに以下に説明される。ＲＮＣ２３０はさらに、図１に示された３ＧＰＰ  ＡＡＡエンティティである認証エンティティであってネットワ��クノード６３１０内にインストールし得る従来の３ＧＰＰ認証エンティティＡ１と通信するように手配される。ＡＰ６６５はＭ−Ｌ２Ｓ６０１と接続される。従来の方式によって、特定のアプリケーションまたはプロトコルがＭＡＣ（メディアアクセス制御）プロトコルレイヤにより定義される共通の物理データポートを共有してもよい。しかしながら、例えばデータポート６００２が別個のイーサネット用接続点に関連付けられるなど、通常は、データポート６００２及び６００３は物理的に別個の接続点に関連付けられる。ＲＮＣ６３０、ＲＮＣ６３０のポート６００２、基地局ノードＢ６５０は、ＰＤＰコンテキストセッションなどのデータセッションのルーティングのために、ＵＴ６４０から／への自身のデータポート６４１を経由する第１のアクセスネットワーク領域及び第１の伝送経路を定義する。ＲＮＣ６３０、ＲＮＣ６３０のポート６００３、Ｍ−Ｌ２Ｓ６０１、及びＡＰ６６５は、ＰＤＰコンテキストセッションなどのデータセッションのルーティングのために、ＵＴ６４０から／への自身のポート６４２を経由する代替的なアクセスネットワーク領域及び代替的な伝送経路を定義する。図６には示されていないが、ＴＣＰ／ＵＤＰ／ＩＰプロトコルを活用した、Ｍ−Ｌ２Ｓ６０１とＲＮＣ６３０との間を接続する中間的なアクセスルータ及びインターネットネットワークが存在してもよい。
【００５５】
図６内のＵＴ６４０、ＲＮＣ６３０、Ｍ−Ｌ２Ｓ６０１、及びＡＰ６６５などの例えばルーティング、無線資源管理などの機能は、通常、例えばＵＴ６４０、ＲＮＣ６３０、Ｍ−Ｌ２Ｓ６０１、ノードＢ６５０、及びＡＰ６６５などのＣＰＵといった処理手段に読み込まれるプロトコルスタック及びソフトウェアアプリケーションによって実現される。
【００５６】
図７は、図６に示した本発明の実施形態に従ってＲＮＣ６３０、Ｍ−Ｌ２Ｓ６０１、ＡＰ６６５，及びＵＴ６４０にインストールされるプロトコルスタック及びアプリケーションの一部の一例を示している。図７において、ＲＮＣ７３０はインストールされた従来のＵＴＲＡＮプロトコルスタックを有し、そのプロトコルスタックには、データポート７００２を定義するＵＴＲＡＮ  ＭＡＣ（メディアアクセス制御）プロトコル、ＰＤＣＰ（パケットデータコンバージェンスプロトコル）、ＧＴＰ−Ｕ（ＧＰＲＳトンネリングプロトコル‐ユーザプレーン）プロトコル、ＵＤＰ（ユーザデータグラムプロトコル）、及びＩＰ（インターネットプロトコル）が含まれる。本発明によれば、ＲＮＣ７３０は、さらにデータポート７００３に関連付けられたインストールされるイーサネット及びＷＬＡＮプロトコルスタック、即ちデータポート７００３を定義するＩＥＥＥ８０２．３ＭＡＣプロトコル、及びＩＥＥＥ８０２．２ＬＬＣ（リンクレイヤ制御）イーサネットプロトコルスタックを有する。ＲＮＣ７３０はさらに、従来の３ＧＰＰ  ＲＬＣレイヤを有する。従来の“ＷＬＡＮ部”、即ちＭ−Ｌ２Ｓ７０１及びＡＰ７６５は、インストールされる従来の物理レイヤ及びＩＥＥＥ８０２．３と８０２．１１ＭＡＣプロトコルレイヤを有する。ＵＴ７４０は、従来のＵＴＲＡＮプロトコルを有し、そのプロトコルには、ＵＴＲＡＮ物理レイヤ、データポート７４１を定義するＭＡＣレイヤ、ＲＬＣレイヤ、及びＰＤＣＰレイヤが含まれる。ＵＴ７４０は、従来の３ＧＰＰ認証アプリケーションエンティティ及び従来のＷＬＡＮ認証エンティティをも有し、ＵＴ７４０が従来の方式でＡ１エンティティ及びＡ２エンティティと通信することによりＵＴＲＡＮ及びＷＬＡＮへのアクセスの承認を証明することを可能にする。ＵＴ７４０は、さらにインターネット通信セッションの目的のために、図示されていないインストールされるＩＰプロトコル、ＵＤＰ／ＴＣＰ、及びより上位のアプリケーションプロトコルレイヤを有する。ＵＴ３４０は、さらにインストールされるイーサネット及びＷＬＡＮプロトコルスタック、即ちＩＥＥＥ８０２．１１物理レイヤ、データポート７４２を定義するＭＡＣレイヤ、及び８０２．２ＬＬＣレイヤを有する。ＵＴ７４０は、ポート７４１または７４２を経由するデータセッションのルーティングのために、ＬＬＣ／ＰＤＣ／ＭＡＣレイヤの“上に（ｏｎ  ｔｏｐ）”インストールされるルーティングアプリケーションを有する。ＵＴ７４０はさらに、従来の３ＧＰＰ  ＲＬＣレイヤ及び従来の８０２．２ＬＬＣレイヤを有する。ＲＮＣ７３０は、ＬＬＣ／ＰＤＣ／ＭＡＣレイヤの“上に”インストールされるルーティングアプリケーション及びＭＲＲＭ（マルチ無線資源管理）アプリケーションを有する。ＵＴ７４０のルーティングアプリケーション及びＲＮＣ７３０は、ＵＴ７４０とインターネットホストの間で、ＷＬＡＮ及び／またはＵＴＲＡＮ経路を経由してデータセッションをルーティングするが、ここではさらに詳しくは説明しない。ＲＮＣ７３０のＭＲＲＭエンティティは、少なくともＷＬＡＮから、及び有利にはＵＴＲＡＮからも、例えば後述する従来の無線資源情報メッセージＲＲＩＭ���受信することにより、無線資源情報を収集する。本発明によれば、ＭＲＲＭエンティティは後述するように、前記無線資源情報に基づいて少なくともＷＬＡＮへのアクセスを制御する。下位のプロトコルレイヤは、いわゆる当業者により理解されている従来のプロトコルレイヤ処理により、ＵＴ７４０及びＲＮＣ７３０が高度化されたＲＲＩＭ情報について論理的データ接続を確立することを可能にする。例えば、ＭＡＣレイヤは物理装置に向けられたパケットをフィルタリング（ｆｉｌｔｅｒ  ｏｕｔ）し、ＬＬＣレイヤはパケットを“適切な”レイヤ／アプリケーションに転送し、そしてパケットはさらに“適切な”アプリケーションに受信されるまで、特定のレイヤ／アプリケーションに転送され得る。
【００５７】
図８は、図６におけるＲＮＣ６３０、Ｍ−Ｌ２Ｓ６０１、ＡＰ６６５、及びＵＴ６４０における制御プレーンのさらなプロトコルスタック／アプリケーションの一例を示している。より具体的には、図８はＲＮＣ８３０のＭＲＲＭエンティティがＲＲＩＭメッセージを受信するために活用するプロトコル／アプリケーションを示している。ＲＲＩＭメッセージとは、例えば輻輳制御メッセージ、負荷制御メッセージ、流入制御メッセージ、ＭＭ（移動性管理）メッセージ、ＳＭ（セッション管理）メッセージ、ＣＣ（呼制御）メッセージなどの何らかの従来の３ＧＰＰ  ＲＲＩＭメッセージ、または例えば従来の何らかのＷＬＡＮ  ＲＲＩＭメッセージであってもよいが、本発明は決して“標準の”ＲＲＩＭメッセージによって限定されるものではない。本発明による重要な点は、ＲＲＩＭメッセージが少なくとも１つの後に説明するような無線資源パラメータ値を含むことである。
【００５８】
図８では、ＡＰ８６５における従来のＡＰＭＥ（アクセスポイント管理エンティティ）と共に従来のＩＡＰＰ（アクセスポイント間プロトコル）がＡＰ８６５における８０２．２レイヤの上位にインストールされ、ＵＴ８４０における従来のＳＴＡＭＥ（ステーション管理エンティティ）によって、いわゆる当業者に理解されるようにＲＮＣ８３０のＭＲＲＭエンティティによりＷＬＡＮ−ＲＲＩＭメッセージが受信されることが可能となる。例えば図８にて示されているＲＲＣレイヤなどを備える従来のＵＴＲＡＮ制御プロトコルスタックは、ＲＮＣ８３０のＭＲＲＭエンティティが３ＧＰＰ−ＲＲＩＭメッセージを受信することを可能にする。しかしながら、ネットワーク（アクセス）ノードとネットワーク制御ノードとの間でＲＲＩＭメッセージの交換のために代わりにどういったプロトコルを用いてもよく、いわゆる当業者により理解されるように、例えば図８に示されていないＬＷＡＰＰ（軽量アクセスポイントプロトコル）などをＩＡＰＰの代わりに用いることができる。いわゆる当業者にとって明白な多くの他の可能性が存在する。
【００５９】
認証と通信の目的のために、ＲＮＣ８３０のＡ２エンティティとＵＴ８４０のＷＬＡＮ認証アプリケーションは、例えば従来のＲＡＤＩＵＳプロトコルであって、ＲＦＣ３５７９（ＥＡＰのためのＲＡＤＩＵＳサポート）、ＲＦＣ２８６５、ＲＦＣ２８６９（拡張ＲＡＤＩＵＳ）、ＲＦＣ３５７６（動的認証用拡張ＲＡＤＩＵＳ）、及びＲＦＣ３５８０（ＩＥＥＥ８０２．１Ｘ  ＲＡＤＩＵＳ利用ガイドレン）などの文書にて仕様化されたようなプロトコル、またはＲＦＣ３５８８（ＤＩＡＭＥＴＥＲ基本プロトコル）により仕様化されたようなＤＩＡＭＥＴＥＲプロトコルとそれに伴う従来のＥＡＰ（拡張認証プロトコル）であって、例えばＩＥＴＦ標準化機構（インターネットエンジニアリングタスクフォース）によって発行された標準ＡＡＡ（Ａｕｔｈｅｎｔｉｃａｔｉｎｇ，Ａｕｔｈｏｒｉｚａｔｉｏｎ，Ａｃｃｏｕｎｔｉｎｇ：認証、承認、課金）プロトコルのＲＦＣ２２８４−ＰＰＰ  ＥＡＰ、ＲＦＣ４０１７（ＷＬＡＮについてのＥＡＰ要件）、またはＲＦＣ３７４８（ＥＡＰ）若しくはＲＦＣ２７１６（ＰＰＰ  ＥＡＰ  ＴＬＳ）若しくはＥＡＰ−ＴＴＬＳ（ＥＡＰ  Ｔｕｎｎｅｌｅｄ  ＴＬＳ認証プロトコル）を活用してもよく、さらにいわゆる当業者により理解されるＥＡＰ−ＰＥＡＰ（Ｐｒｏｔｅｃｔｅｄ  ＥＡＰプロトコル）を活用してもよい。
【００６０】
図６に示した実施形態によれば、重要な点は、ＭＲＲＭエンティティがＵＴＲＡＮとＷＬＡＮの両方に接続されたネットワークノード内にインストールされ、それによりＭＲＲＭエンティティがＵＴＲＡＮ及びＷＬＡＮの両方からＲＲＩＭメッセージを受信できること、及びＡ２エンティティがＷＬＡＮに接続されたネットワークノード内にインストールされ、それによりＡ２エンティティがＷＬＡＮアクセス要求をＵＴ２４０から受信できること、並びにいわゆる当業者により理解される例えばＩＥＥＥ８０２プロトコル、３ＧＰＰプロトコル、またはＵＤＰ／ＴＣＰ／ＩＰプロトコルなどであってよい何らかの適したプロトコルの手段によってＭＲＲＭエンティティとＡ２エンティティとが互いに通信できることである。ＭＲＲＭエンティティの機能は、基本的には：
‐前述したようなＲＲＩＭ情報の受信、
‐前記統合ＵＴＲＡＮ／ＷＬＡＮのアクセスポリシーの少なくともＷＬＡＮに関する前記ＲＲＩＭ情報に基づく決定、
‐それに応じた自身の承認ポリシーについての前記Ａ２エンティティとＡ１エンティティへの指示、
である。
【００６１】
Ａ２エンティティは、図１における従来のＡＡＡ２エンティティを修正することで実現してもよく、それは従来のＡＡＡ２エンティティに以下に説明する機能を与えることにより可能である。Ａ２エンティティは、例えば従来のＲＡＤＩＵＳまたはＤＩＡＭＥＴＥＲプロトコルに従来のＥＡＰ、ＥＡＰ−ＴＬＳ、ＥＡＰ−ＴＴＬＳ、またはＥＡＰ−ＰＥＡＰ認証プロトコルを伴わせる手段によって実現してもよい。以下に説明するＡ２エンティティを実現するために、例えばＲＡＤＩＵＳ−ＥＡＰ−ＡＡＡサーバをどのように修正すればよいかは、いわゆる当業者により理解される。
【００６２】
本発明によれば、ＲＲＩＭメッセージは少なくとも１つの次の無線資源パラメータの測定値を含む：
即ち、ユーザ／セッションごとの基準で測定されるパラメータであって、例えば：
‐無線リンク品質パラメータ（信号対雑音／干渉比（ＳＮＲ、ＳＩＲ）、ビット／フレームエラー率（ＢＥＲ、ＦＥＲ）、スループット（Ｋｂ／ｓ）、パケット遅延（ｓ）として、例えばＵＴ６４０、ＡＰ６６５またはＢＳ６５０によって測定され、ＭＲＲＭエンティティに信号伝達される）、
‐達成可能データレートパラメータ（スループット（Ｋｂ／ｓ）として、ユーザ／セッションごとの基準で、例えばＵＴ６４０、ＡＰ６６５、ＢＳ６５０、ＲＮＣ６３０によって計算／信号伝達される）、
‐無線リンク利用コストパラメータであって、例えばＵＳドル／セント／ｍｉｎまたは送信電力（Ｗ）若しくは利用可能な／未使用の／使用中の符号、タイムスロット、キャリアの数等の経済的指標など
‐ＵＴ資源情報パラメータ（例えばメモリサイズ（Ｋｂ）、処理容量（フロップス）、バッテリーレベル（Ａｈ）などの端末能力／制限として、ＵＴ６４０により保存／信号伝達される）、
‐バッファサイズパラメータ（（例えばＫｂとして）ＵＴ６４０、ＡＰ６６５、ノードＢ６５０、ＲＮＣ６３０により保存／信号伝達される）、
‐サービス要件パラメータ（レート（Ｋｂ／ｓ）ＱｏＳ（Ｋｂ／ｓ、遅延（ｓ）、ビット／フレームエラー率）として、及び／または関連アクセスポイント識別子若しくはセル識別子を伴う移動性要件パラメータとして、及び／またはセキュリティ要件パラメータ（例えば要求されるセキュリティ鍵長、認証要件設定、若しくは何らかのセキュリティ設定パラメータなど）として、及び／または許容し得るパケット遅延要件（例えばミリ秒で）として、及び／またはジッタ要件として、ＵＴ６４０、ＲＮＣ６３０、ＡＰ６６５により保存／信号伝達される）、
セルごと、ＡＰ／ノードＢまたはＡＰ／ノードＢのグループごとに測定され、ＡＰ６６５、Ｍ−Ｌ２Ｓ６０１（アクセスルータ）、ノードＢ６５０、またはＲＮＣ６３０により保存され／信号伝達されるシステム情報パラメータであって、例えば：
‐セル構成パラメータ（周波数（Ｈｚ、チャネルｎｒ）、最大送信電力（Ｗ））、
‐利用可能な／使用中の／未使用のシステム資源パラメータ（最大送信電力（Ｗ）、利用可能な／使用中の／未使用のタイムスロット、送信符号、利用可能な／使用中の／未使用の周波数（Ｈｚ、チャネルｎｒ）、処理資源（フロップス））、
‐セル容量パラメータ（最大／最小スループット（Ｋｂ／ｓ））
‐サポートされる最大ユーザ数（ｎｒ）
‐送信性能パラメータ（例えば保証レート（Ｋｂ／ｓ）、移動性サポートパラメータ（例えば許容し得るパケット遅延、パケット損失、ハンドオーバのためのパケット再発行）、セキュリティサポート設定パラメータ（例えば暗号化／承認要件、暗号化鍵長）、
‐ＵＴ６４０により保存／信号伝達してもよい、近傍ＩＤパラメータ（近傍のＡＰ／セルのためのＡＰ／セル識別番号）。
【００６３】
ＲＲＩＭメッセージは、例えば前述の標準“ＲＲＩＭ”メッセージのいずれか、または前述のパラメータ若しくは例えばストリーミングセッション若しくはＶｏＩＰ（Ｖｏｉｃｅ  ｏｖｅｒ  ＩＰ）セッション、若しくはウェブデータセッションなどを定義するＩＰフロー識別子などのセッション識別子を含む何らかの信号伝達メッセージであってもよく、任意に例えばＵＴ６４０（例えば自身のＵＳＩＭ（ｎｒ）及び／またはＷＬＡＮ−ＭＡＬアドレスを含む）、ＡＰ６６５、または基地局ノードＢ６５０（従来のアクセスポイント識別子若しくは従来のセル識別子を含む）などを識別する適切な識別子を伴ってもよい。
【００６４】
図９は、説明のための例として、本発明によるＲＲＩＭメッセージ通信のための様々な通信経路を示している。図９において、ＲＲＩＭメッセージは、次の方式で信号伝達され得る
‐ＡＰ９６５とＡＰＣ９０１（代わりにＭ−Ｌ２Ｓまたはアクセスルータ）との間；例えば図８に示されているようなＩＥＥＥ８０２プロトコルを基礎として伴う従来のＩＡＰＰの手段により、またはＩＥＴＦプロトコルを基礎として伴う従来のＬＷＡＰＰを活用する、
‐ノードＢ９５０とＲＮＣ９３０（またはＤＲＮＣ９３１、ドリフト無線ネットワーク制御部）との間；例えば、３ＧＰＰ  ＲＲＣプロトコルを伴う従来のＮＢＡＰ（ノードＢアプリケーション部）の手段による、
‐ノードＢ９５０とＵＴ９４０との間；例えば従来の３ＧＰＰ制御メッセージ信号伝達の手段による、
‐ＡＰ９６５とＵＴ９４０との間；例えば従来のＩＥＥＥ８０２．１１ｋ制御メッセージ信号伝達の手段による、
‐ＲＮＣ９３０とＵＴ９４０との間；例えば従来の３ＧＰＰ制御メッセージ信号伝達の手段による、
‐ＲＮＣ９３０とＵＴ９４０との間；例えば前述したＷＬＡＮ経路上の従来のＭＡＣ及びＩＡＰＰプロトコルの手段による、
‐ＲＮＣ９３０とネットワークノード９３５内のＭＲＲＭエンティティ（例えばＭＲＲＭがＲＮＣ６３０内にインストールされていない場合）との間；例えばＵＤＰ／ＴＣＰ／ＩＰプロトコルの手段による。
‐ＡＰＣ９０１とネットワークノード９３５内のＭＲＲＭエンティティ（例えばＭＲＲＭがＲＮＣ６３０内にインストールされていない場合）との間；例えばＵＤＰ／ＴＣＰ／ＩＰプロトコルの手段による。
‐ノードＢ９５０とネットワークノード９３５内のＭＲＲＭエンティティ（例えばＭＲＲＭがＲＮＣ６３０内にインストールされていない場合）との間；例えば３ＧＰＰ  ＵＴＲＡＮプロトコルの手段による。
‐ＡＰ９６５とネットワークノード９３５内のＭＲＲＭエンティティ（例えばＭＲＲＭがＲＮＣ６３０内にインストールされていない場合）との間；例えば図８におけるＲＮＣ８３０とＡＰ８６５の間に示したような下位のＩＥＥＥ８０２レイヤを伴うＩＡＰＰ、ＵＤＰ／ＴＣＰ−ＩＰの手段による。
【００６５】
ＭＲＲＭエンティティが例えばＲＮＣ９３０などの特定のネットワークノードに統合される場合、前記ノードとの信号伝達に用いられる従来のプロトコルを本発明によるＲＲＩＭメッセージの伝達に用いてもよく、例えばＭＲＲＭエンティティがＲＮＣノード９３０内に位置する場合には、３ＧＰＰ  ＵＴＲＡＮプロトコルが用いられ得る。上に示したプロトコルの手段によってどのようにＲＲＩＭ信号伝達が実行されるかは、いわゆる当業者により理解される。
【００６６】
ＭＲＲＭエンティティとＡ２エンティティとが同一のネットワークノード内に共設される場合、ＲＡＤＩＵＳ／ＤＩＡＭＥＴＥＲメッセージ内に、前述の無線資源パラメータのいずれかを、適した識別子（例えばセッション識別子、及び／または例えばＵＴ６４０、ＡＰ７７５、若しくはノードＢ６５０などを識別する識別子）と共に含んでもよい。
【００６７】
ここで、説明のための例として、図１０Ａ−Ｂ及び１１Ａ−Ｂを参照しながら、本発明による方法を、図６に示したネットワーク構造の場合について詳細に説明する。
【００６８】
図１０Ａのステップ１００１において、前述のＭＲＲＭエンティティは前述したようにＲＲＩＭを受信し、各ＲＲＩＭには、既に検討したように任意に適した識別子と共に少なくとも１つの前述のパラメータが含まれる。
【００６９】
ステップ１００２において、ＵＴ６４０がＡＰ６６５と関連付けられ、従来のＡＡＡ（承認、認証、課金）手続が、例えばＥＡＰプロトコル及びＲＡＤＩＵＳ／ＤＩＡＭＥＴＥＲプロトコルに従って起動される。ＡＰ６６５は、さらにＵＴ６４０の識別情報（ｉｄｅｎｔｉｔｙ）を規定する。このステップは、図１１Ａにおいてアクション１及び２として示される。
【００７０】
ステップ１００５において、ＵＴ６４０は、例えばＲＮＣ６３０内にインストールされるローカルＡ２エンティティに対し、図１１Ａのアクション３に示しているように、従来のＷＬＡＮアクセス要求を送信する。
【００７１】
ステップ１００６において、ＵＴ６４０とＡ２は、従来の相互認証の検証を、例えば標準的なチャレンジ‐レスポンス型の認証プロトコル（例えばＥＡＰ）によって行い、そこではＵＴ６４０及びＡ２エンティティの真の識別情報が規定される。認証は、デジタル署名、ユーザ名とパスワード、既存のセキュアトークン、移動ネットワーク識別情報（ｍｏｂｉｌｅ  ｎｅｔｗｏｒｋ  ｃｒｅｄｅｎｔｉａｌｓ）（ＧＳＭ及びＵＭＴＳシークレット）、公開／秘密鍵（必ずしも証明書を要求しない）、及び非対称の識別情報支援（例えば一方がパスワード、他方が公開／秘密鍵）などのような識別情報に基づいて、従来の方式で行うことができる。本ステップは、図１１Ａのアクション４によって示される。
【００７２】
ステップ１００７において、Ａ２エンティティは、Ａ２エンティティのローカル承認ポリシーに従って、例えばローカルＷＬＡＮポリシーに従って承認された全てのＵＴの識別情報を含むデータベース参照テーブルリスト（ｌｏｏｋ−ｕｐ  ｔａｂｌｅ  ｌｉｓｔ）からＵＴ６４０の認証ステータスを取得することによって、ＵＴ６４０がＷＬＡＮへのアクセスを承認されているかどうかを確認する。ここで、前記参照テーブルは、通常は運用者によって事前にインストールされる固定の識別情報リストである。ＵＴ６４０が前記ローカルポリシーに従って承認されるべきとされた場合には、即ちその識別情報が参照テーブル内に見つかった場合には、本方法はステップ１００９に進み、そうでない場合にはステップ１０１８に進む。Ａ２エンティティのローカル承認ポリシーは、ＵＴ６４０のＷＬＡＮへのアクセスを認める前提条件となる。
【００７３】
ステップ１００９において、Ａ２エンティティは、ＵＴ６４０がＷＬＡＮへアクセスするためのＷＬＡＮアクセス要求を形成し、それを例えばＲＮＣ６３０内に位置するＭＲＲＭエンティティへ転送する。１つの実施形態において、Ａ２エンティティとＭＲＲＭエンティティは、例えばＲＮＣ６３０などの同一のネットワークノード内に位置し、要求はいわゆる当業者にとって明白なローカル通信処理の手段によってＭＲＲＭエンティティへと転送される。別の実施形態において、Ａ２エンティティとＭＲＲＭエンティティは異なるネットワークノード内に位置し、その場合には要求は例えば前述のＩＥＥＥ８０２プロトコルまたはＵＤＰ／ＴＣＰ／ＩＰプロトコルの手段によってＭＲＲＭエンティティへと転送されてもよい。ＷＬＡＮアクセス要求は、通常は例えばＵＴ６４０のＷＬＡＮアドレスまたは自身の（移動無線ネットワーク）ＳＩＭカード番号を含むＵＴ識別子フィールドと、例えば１ビットでＷＬＡＮ要求を表すＷＬＡＮアクセス要求識別子フィールドとを含む。
【００７４】
ステップ１０１０において、ＭＲＲＭアプリケーションは、ＷＬＡＮアクセス基準Ｃが前記ＵＴ６４０について満たされているかを確認することにより、グローバルアクセスポリシーに従って、ＵＴ６４０の前記ＷＬＡＮへアクセスが認められているかどうかを検証する。本発明によれば、前記基準は、前述の無線資源パラメータのうち、ＷＬＡＮに関連する無線資源パラメータＰｗの少なくとも１つのパラメータ値Ｘｗの関数である。アクセス基準Ｃは、複数の様々なパラメータ値に依存し、１つの特定の無線資源パラメータ、及び／または複数の様々な無線資源パラメータに依存してもよいことが強調される。例えば、基準Ｃは、所定のアクセスポイントに関連付けられた利用可能な未使用の処理容量（Ｋｂ／ｓ）が何らかの閾値を超え、同時に前記アクセスポイントに関連付けられたセキュリティサービスパラメータが（例えば利用可能なセキュリティ鍵長として）前記ＵＴのセキュリティサービスパラメータ要件を超えた場合に、ＵＴのネットワークアクセスを許容するように定義されてもよく、また多くの他の可能性が存在する。本発明によれば、グローバルアクセスポリシーは、少なくともＷＬＡＮ、及び任意に移動無線ネットワークの無線資源のステータスを、ＵＴ６４０のＷＬＡＮへのアクセスを認めるために考慮する。ＭＲＲＭエンティティのグローバルアクセスポリシーは、Ａ２エンティティのローカル承認ポリシーが、ＷＬＡＮへのアクセスを要求するＵＴ６４０をＷＬＡＮへのアクセスが実質的に承認されたものとして扱うための、追加的な条件を形成する。よって、本発明によれば、Ａ２エンティティは、ＭＲＲＭエンティティのグローバルアクセスポリシーに応じてＵＴ６４０がアクセスを認められている場合にのみ、ローカルで承認されたＵＴ６４０、即ちその識別情報が前述の運用者により事前にインストールされた参照テーブルに現れるＵＴ６４０を、実質的にＷＬＡＮへのアクセスが承認されているように扱う。ＭＲＲＭエンティティは、継続的に、または一定の間隔を置いて、ＲＲＩＭをＷＬＡＮ及びＵＴＲＡＮから（例えば送信される専用ＲＲＩＭ要求メッセージへの応答として）受信する。
【００７５】
１つの実施形態において、前記ＭＲＲＭエンティティの基準Ｃは、さらに前述の無線資源パラメータの中のＵＴＲＡＮに関連する無線資源パラメータＰｃの少なくとも１つのパラメータ値Ｘｃの関数である。Ｘｃは、スループット（Ｋｂ／ｓ）としての全トラヒック負荷、または前記移動無線ネットワーク若しくは前記移動無線ネットワークの所定の無線基地局（６５０）に関連付けられた総ユーザ数（ＵＴｓ）を表してもよく、またはその代わりに、前記Ｘｃは、信号対雑音／干渉比（ＳＮＲ、ＳＩＲ）、測定されたビット／フレームエラー率（ＢＥＲ、ＦＥＲ）、パケット遅延（ｓ）若しくはスループット（Ｋｂ／ｓ）としての前記ＵＴ（６４０）の無線チャネル品質を表してもよい。ネットワークまたはアクセスノード（例えばノードＢ６５０またはＡＰ６６５）についてのスループット値は、代わりにネットワークまたはアクセスノードの最大処理容量の合計に対する百分率の値であってもよい。ＵＴ６４０のチャネル品質は、セッションごとに、好適には測定された上でＭＲＲＭエンティティへ一定の間隔で継続的に、またはパラメータ値が所定の閾値を上回るか下回るかしたことをきっかけとして信号伝達される。
【００７６】
１つの実施形態において、前記基準Ｃは次のように定義される
‐前記無線資源パラメータＰＷについての最大許容閾値ＸＷＭＡＸを定義、
‐前記無線データネットワークへのアクセスを認められた前記ＵＴの結果としての前記パラメータＰＷの実効値ＸＷＥＳＴを評価、
‐前記ＸＷＥＳＴが前記ＸＷＭＡＸを下回っている場合にのみ前記無線データネットワークへの前記ＵＴのアクセスを許可。
ＸＷＥＳＴは、パラメータＸＷが何を表すかに依存して多くの異なるやり方で計算／シミュレートされ、例えばＸＷが現在特定のＡＰまたはＷＬＡＮ全体に対して通信している総ユーザ数（ＵＴｓ）（ＡＰまたはＷＬＡＮに関連付けられたＵＴの総数  ｔｏｔＮＲ）を表すとすると、ＸＷＥＳＴは単純に１ずつ加算されるＸＷの現在のｔｏｔＮＲとなり、ＸＷが現在ＵＴＲＡＮと通信しているＵＴ６４０に関連付けられたＳＩＲ／ＳＮＲ値だとすると、ＸＷＥＳＴは、ＵＴ６４０がハンドオーバの実行を要求するＡＰ６６５の現在の平均ＳＩＲ／ＳＮＲ値を統計的かつ経験的に適切な値だけ減算することにより、または単純にＸＷＥＳＴをＡＰ６６５の現在の最大ＳＩＲ／ＳＮＲ値と等しい値に設定することにより計算してもよく、また他の多くの可能性も存在する。
【００７７】
従って、前記パラメータＰＷは、スループット（Ｋｂ／ｓ）としての総トラヒック負荷、総ユーザ数（ＵＴｓ）、総電力（Ｗ）、無線データネットワークについての若しくは無線データネットワークの特定のアクセスポイントについての、キャリア、タイムスロット、符号、チャネルなどの総数、または前記ＵＴ６４０により要求され若しくは関連付けられる信号対雑音／干渉比の値（ＳＮＲ、ＳＩＲ）、パケット遅延値、ＢＥＲ値、若しくはＦＥＲ値であってもよい。
【００７８】
１つの実施形態において、前記基準Ｃは次のように定義される
‐前記ＵＴ（６４０）により要求されるスループット（Ｋｂ／ｓ）としてのＱｏＳ値、または暗号化セキュリティ値の設定としての前記無線資源パラメータＰＷについての最小許容閾値ＸＷＭＩＮを定義、
‐前記無線データネットワークへのアクセスを認められた前記ＵＴの結果としての前記パラメータＰＷの実効値ＸＷＥＳＴを評価、
‐前記ＸＷＥＳＴが前記ＸＷＭＩＮを上回っている場合にのみ前記無線データネットワークへの前記ＵＴ（６４０）のアクセスを許可。
【００７９】
他の実施形態において、前記基準Ｃは次のように定義される
‐前記移動無線ネットワークまたは前記移動無線ネットワークの特定の基地局（ノードＢ６５０）に関連付けられた総トラヒック負荷を表すパラメータ値である前記移動無線ネットワークの現在のパラメータ値ＸＣを選択、
‐前記無線データネットワークまたは前記無線データネットワークの特定のアクセスノードＡＰ（６６５）に関連付けられた総トラヒック負荷を表すパラメータ値である、前記無線データネットワークへ前記ＵＴ（６４０）がアクセスを認められた場合の前記無線データネットワークについての対応するパラメータの実効値ＸＷＥＳＴを評価、
‐前記実効値ＸＷＥＳＴが前記現在値ＸＣを下回っている場合にのみ前記無線データネットワークへの前記ＵＴ（６４０）のアクセスを認めるように前記Ｃを定義。例えば、ＵＴＲＡＮネットワークの前記ＸＣが、ＵＴ６４０が現在関連付けられているノードＢの相対スループット（最大処理容量に対する百分率の値であって、例としては６０％など）であれば、ＷＬＡＮの前記ＸＷＥＳＴは、ＵＴ６４０がハンドオーバを要求するＡＰ６６５の相対的に測定された相対スループット（ＵＴ６４０の現在値に加え、要求されるＱｏＳスループットに基づく最大処理容量に対する百分率の値を加算）などとなる。よってＵＴ６４０は、前述の例に従うと、ＸＷＥＳＴが６０％を下回った場合にのみＷＬＡＮへのアクセスを認められる。他の関連する適切なパラメータの実効値をどのように形成するかは、いわゆる当業者に理解される。
【００８０】
１つの実施形態において、前記Ｃは次のように定義されてもよい
‐前記移動無線ネットワークと現在通信している前記ＵＴ（６４０）の無線チャネル品質を表すパラメータ値である前記移動無線ネットワークの現在のパラメータ値ＸＣを選択、
‐前記無線データネットワークへ前記ＵＴ（６４０）がアクセスを認められたときの、前記無線データネットワークと通信している場合についての対応するトラヒックチャネル品質パラメータの実効値ＸＷＥＳＴを評価、
‐前記実効値ＸＷＥＳＴが前記現在値ＸＣを上回っている場合にのみ前記無線データネットワークへの前記ＵＴ（６４０）のアクセスを認めるように前記Ｃを定義。例えば、ＸＣがノードＢ６５０と現在通信しているＵＴ６４０についての１ＫＢ／ｓのＱｏＳスループット値であって、ＵＴ６４０が例えば２Ｋｂ／ｓのＱｏＳスループットを要求する場合には、ＡＰ６６５へのハンドオーバ後のＵＴ６４０の実効スループットが１Ｋｂ／ｓを上回ると測定された場合にのみ、ＵＴ６４０は前記ＷＬＡＮのＡＰ６６５へのＵＴ６４０のアクセスを認め、即ちＡＰ６６５は１Ｋｂ／ｓを上回る利用可能な未使用の処理容量を有さなければならず、ＸＷＥＳＴは１Ｋｂ／ｓ（加えて任意にピンポン効果を最小化するための余分の固定値）を上回らなければならない。
【００８１】
ＭＲＲＭエンティティによりステップ１０１０において前記グローバルアクセスポリシー基準Ｃが満たされているかが検証された後、本発明に従って本方法は図１０Ｂに示されているステップ１０１２に進む。
【００８２】
ステップ１０１２において、ＭＲＲＭエンティティは、例えば１ビットの“１”によってアクセスが許可されたことを表し、１ビットの“０”によってアクセスが拒否されたことを表すアクセス許可識別子と、例えばＵＴ６４０のＷＬＡＮ  ＭＡＣアドレスなどのＵＴ識別子とを含むアクセス応答メッセージを形成する。ステップ１０１０において、ＵＴ６４０について前記基準Ｃが満たされていることが分かった場合には、前記アクセス応答メッセージ内のアクセス許可識別子が“１”に設定され、そうでない場合には“０”が設定される。そして、ＭＲＲＭエンティティは、アクセス応答メッセージをＡ２エンティティへと送信する。
【００８３】
ステップ１０１４において、Ａ２エンティティは、ＭＲＲＭエンティティからアクセス応答メッセージを受信し、前記ＵＴ識別子とアクセス許可識別子を抽出し、及び抽出されたアクセス許可識別子がＵＴ６４０のＷＬＡＮへのアクセスを認めていることを示している場合、即ち前述の例に従えばアクセス許可識別子が“１”である場合にのみ前記ＵＴ（６４０）をＷＬＡＮへのアクセスを承認されたものとして扱うことを決定し、そして本方法はステップ１０１６へと進む。
【００８４】
ステップ１０１６において、Ａ２はＵＴ６４０のＷＬＡＮアクセス要求を受け取り、ＵＴ６４０とＷＬＡＮとの間でＡＰ６６５を介する従来のＷＬＡＮデータ通信セッションがセットアップされる。これは、図１１Ａにおいてアクション６、７及び８によって示されている。そして、本方法はステップ１０２０へと進む。
【００８５】
ステップ１０１８では、ＵＴ６４０が承認されたＷＬＡＮ  ＵＴではないことから、ＵＴ６４０のＷＬＡＮへのアクセスの承認は否認／取り消され、ＵＴ６４０とＷＬＡＮとの間でセットアップされたデータ通信セッションは従来の方式で遮断または代わりに停止される。１つの実施形態において、ＵＴ６４０は、例えば要求されるスループット値（Ｋｂ／ｓ）を減らすことなどにより、自身のＷＬＡＮアクセス要求について再交渉してもよく、即ち本方法はステップ１００６へと戻って続行してもよい。これは、図１１Ａ−Ｂにおいてアクション６、１０、１１及び１２によって示されている。
【００８６】
ＭＲＲＭエンティティは、ステップ１０１２にて前記ＵＴ（６４０）向けの承認を許可することを前記Ａ２に指示した後、ステップ１０２０において、例えば一定間隔でのＲＲＩＭの受信と前記Ｃの充足検証のための適切なデータ処理によって、前記基準Ｃが継続して満たされているかを監視する。これは、図１１Ｂにおいてアクション９によって示されている。これがどのように実行されるかは、いわゆる当業者に理解される。前記基準が満たされている限り、本発明に従って本方法はステップ１０２０に留まる。前記Ｃが前記ＵＴ（６４０）についてもはや満たされなくなった場合には、ＭＲＲＭエンティティは、例えば前述の例に従うと通常ＵＴ６４０のＷＬＡＮアドレスと“０”に設定されたアクセス許可識別子とを含むＷＬＡＮアクセス応答メッセージを形成し、それをＡ２エンティティに送信することにより、前記Ａ２に前記ＵＴの前記無線データネットワークへのアクセスの承認を取り消すように指示する。そして本方法はステップ１０１８へと進む。
【００８７】
よって、本発明によれば、Ａ２エンティティは例えばＲＮＣ６３０内の修正されたＡＡＡ  ＲＡＤＩＵＳサーバアプリケーションとして実現されてもよい。そうすると、ＵＴＲＡＮ経路からＷＬＡＮ経路へのハンドオーバの場合には、ＵＴ６４０のＷＬＡＮ承認要求を許容するかどうかのＭＲＲＭの決定は、統合ネットワーク全体の利用可能な無線資源に基づくことができ、それによりＵＴＲＡＮとＷＬＡＮ間の負荷分散を可能とし、及び／またはＵＭＴＳ通信設定に際して既に規定済みのＵＴ（６４０）のセキュリティコンテキスト設定に基づいてもよい。
【００８８】
Ａ２エンティティは、本発明に従って無線データネットワーク及びＭＲＲＭエンティティと通信するよう手配された別個のネットワークノード内に位置してもよく、または図６に示されたように例えばＲＮＣ６３０内でＭＲＲＭエンティティと併設されてもよい。ＲＮＣ６３０は、前記無線データネットワーク及び移動無線ネットワークと接続され、そこでは前記Ａ２が前述の方法に従ってＵＴ６４０のＷＬＡＮへのアクセスが承認されているかどうかを検証する。Ａ２エンティティネットワークノードは、前述のＥＡＰ−、ＥＡＰ−ＴＬＳ−、ＥＡＰ−ＴＴＬＳ−、またはＥＡＰ−ＰＥＡＰ−プロトコルを伴うＲＡＤＩＵＳプロトコルまたはＤＩＡＭＥＴＥＲプロトコルを活用したネットワークサーバであってもよい。
【００８９】
本発明による方法は、前述したような様々なネットワークノードの例えばＣＰＵなどの処理手段内に読み込まれるプログラムコード手段を含むソフトウェアプログラムの手段によって通常実現される前述のＭＲＲＭエンティティ及びＡ２エンティティによって実現され、当該コード手段は、前記処理手段内に読み込まれた際に、少なくとも１つの本発明による方法を実現する手続を実現するが、いわゆる当業者にとって明白な他のハードウェアによる選択肢も存在する。ソフトウェアプログラムは、効率的な配布／インストールを可能にするように、例えばＲＡＭメモリ、及びＣＤ−ＲＯＭやフラッシュメモリなどといったコンピュータにより読取可能な媒体上に保存されてもよい。
【００９０】
前述の本発明による方法は、多くのやり方で修正され得る。例えば、ＭＲＲＭエンティティは、例えば承認ポリシー更新メッセージの手段により一定間隔でＡ２エンティティへ通信される承認／未承認ＵＴのデータベースリストを含むグローバル承認ポリシーを形成し、それにより、Ａ２は受信したＵＴのＷＬＡＮアクセス要求ごとにＷＬＡＮアクセス要求を形成してＭＲＲＭエンティティへ送信しなくてもよく、その代わりにＡ２エンティティは自身のローカルデータベースリスト（参照テーブル）を、例えばＭＲＲＭから前記ポリシー更新メッセージを一定間隔で受信した際に更新するようにしてもよい。ポリシー更新メッセージは、例えばＷＬＡＮ若しくはＷＬＡＮの特定のノードによってサービスを受けるＵＴの最大数、または最大許容スループット（Ｋｂ／ｓ）などの、前記ＷＬＡＮの最大許容パラメータ値としてもよい承認指示を含む。Ａ２エンティティは、従ってＭＲＲＭエンティティの承認指示と共に適切に機能するように修正される。例えば、承認指示がＷＬＡＮによりサービスを受けているＵＴの最大許容数からなる場合には、Ａ２エンティティは、第１にローカルポリシーによってＵＴ２４０が承認されているかを検証するために自身の従来の承認参照テーブルを確認し、その後さらにＷＬＡＮが前記ＵＴ２４０にＵＴの前記最大許容数を超えることなくサービスできるかを確認し、そしてこれら両方の条件が満たされている場合にのみ前記ＵＴを承認する。これに応じてどのようにＡ２エンティティを適合させるかは、いわゆる当業者に理解される。ＭＲＲＭエンティティ及びＡ２エンティティは、共通の承認参照テーブルを共有してもよく、その場合ＭＲＲＭにのみ前記参照テーブルの読取り／書込み権限が与えられ、一方Ａ２エンティティは個々のＵＴについての承認ステータスの読取りのみを行ってもよい。こうした設定は、例えば参照テーブルがＡ２エンティティと同一のネットワークノード内に位置し、ＭＲＲＭエンティティとＡ２エンティティが異なるネットワークノード内に位置する場合、例えばＭＲＲＭエンティティが相対的に非集中化された処理として、例えば複数のネットワークノード内でＭＲＲＭ機能の異なる部分が動的かつ互いに独立して参照テーブルを更新し得る分散ＭＲＲＭ機能として実現された場合にも有益である。さらに、ＡＡＡ２承認エンティティが前述の説明に従ってＡ２エンティティへ修正されるのと同様に、３ＧＰＰ  ＵＴＲＡＮのＡＡＡ１承認エンティティもまた修正され得る。よって、本発明は、例えばトラヒック負荷、無線チャネル品質などのＷＬＡＮ無線資源情報に基づいて移動無線ネットワークへのアクセスを制御する可能性を提供する。そうした類似的な修正をどのように実現するかは、いわゆる当業者に理解される。
【００９１】
既存の承認‐及びＲＲＭプロトコルは前述のように再利用され得るため、本発明は様々な無線アクセスネットワークを統合する効率的なやり方を提供する。物理ネットワークアクセス制御のためにＭＲＲＭエンティティにＡ３エンティティを活用させることで、効率的なネットワークアクセス制御が獲得され、様々な無線アクセスネットワークのコスト効率のよい統合が可能となる。本発明はまた、無線アクセスネットワーク間の効率的な負荷分散を獲得し、それにより全体としての干渉が低減され、統合ネットワークの総容量が増加する可能性もまた提供する。前述のようにＲＮＣノード内にＭＲＲＭエンティティ及びＡ２エンティティを置くことで、ネットワークの信号伝達及びパケット遅延は減少される。
【００９２】
本発明の原理を、実施形態の例または運用の形態／例、即ちＵＴＲＡＮ伝送経路からＷＬＡＮ伝送経路へのデータセッションのハンドオーバの場合、そして１つのアクセスネットワーク領域がＷＬＡＮで他のアクセスネットワーク領域がＵＴＲＡＮである場合について、ここまで説明を行ってきた。しかしながら、既に述べたように、本発明はいかなる無線アクセスネットワーク領域にも適用可能であり、多くの修正及び／または組合せが可能である。それゆえ、本発明は前述の特定の実施形態／実施例に限定して解釈されるべきではなく、また、添付の特許請求の範囲に定義された本発明の技術的範囲から外れることなく、いわゆる当業者によってこれら実施形態／実施例における変形例を作成し得ることが理解されるべきである。
【図面の簡単な説明】
【００９３】
【図１】従来型の統合ＵＴＲＡＮ−ＷＬＡＮネットワーク構造を示している。
【図２】本発明の一実施形態によるネットワーク構造を示している。
【図３】本発明の一実施形態によるネットワーク構造を示している。
【図４】本発明の一実施形態によるネットワーク構造を示している。
【図５】本発明の一実施形態によるネットワーク構造を示している。
【図６】本発明の一実施形態による統合ＵＴＲＡＮ−ＷＬＡＮネットワーク構造を示している。
【図７】図６にて示されているネットワークのプロトコルスタック及びソフトウェアアプリケーションの一例を示している。
【図８】図６にて示されているネットワークの制御プレーンプロトコルスタック及びソフトウェアアプリケーションの一例を示している。
【図９】本発明によるＲＲＩＭメッセージの通信のための様々な通信経路の説明のための一例を示している。
【図１０Ａ】本発明による方法のフローチャートを示している。
【図１０Ｂ】本発明による方法のフローチャートを示している。
【図１１Ａ】図１０Ａ−Ｂにて示されているステップのいくつかの信号伝達図を示している。
【図１１Ｂ】図１０Ａ−Ｂにて示されているステップのいくつかの信号伝達図を示している。
【図１】
2008547354.tif 000003
【図２】
2008547354.tif 000004
【図３】
2008547354.tif 000005
【図４】
2008547354.tif 000006
【図５】
2008547354.tif 000007
【図６】
2008547354.tif 000008
【図７】
2008547354.tif 000009
【図８】
2008547354.tif 000010
【図９】
2008547354.tif 000011
【図１０Ａ】
2008547354.tif 000012
【図１０Ｂ】
2008547354.tif 000013
【図１１Ａ】
2008547354.tif 000014
【図１１Ｂ】
2008547354.tif 000015
【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
無線通信ネットワークにおけるユーザ端末ＵＴ（２４０）のアクセスネットワーク領域へのアクセス制御を支援する方法であって、前記方法は前記通信ネットワークのマルチ無線資源管理ＭＲＲＭ機能に使用され、前記ＭＲＲＭ機能は第１の承認エンティティＡ１がＵＴのアクセスを承認する第１の無線アクセスネットワーク領域と通信し及び第２の承認エンティティＡ２がＵＴのアクセスを承認する少なくとも第２の無線アクセスネットワーク領域と通信するよう手配され、前記方法は：
前記第２のアクセスネットワーク領域に関連付けられた、トラヒック負荷及び／または無線資源消費及び／または少なくとも１つの無線トラヒックチャネルの特性に関連する少なくとも１つの無線資源パラメータＰ２の少なくとも１つのパラメータ値Ｘ２を含む少なくとも１つの無線資源情報メッセージＲＲＩＭを、前記第２のアクセスネットワーク領域から受信し、
少なくとも前記パラメータ値Ｘ２の関数である、前記ＵＴ（２４０）の前記第２のアクセスネットワーク領域へのアクセスを認めるための基準Ｃを定義し、
前記ＵＴ（２４０）について前記基準Ｃが満たされているかどうかを検証し、
前記ＵＴ（２４０）について前記基準Ｃが満たされている場合には前記第２のアクセスネットワーク領域への前記ＵＴ（２４０）のアクセスが承認されるということを前記第２の承認エンティティＡ２に指示し、前記ＵＴ（２４０）について前記基準Ｃが満たされていない場合には前記第２のアクセスネットワーク領域への前記ＵＴ（２４０）のアクセスが承認されないということを前記第２の承認エンティティＡ２に指示する、
ステップを含むことを特徴とする方法。
【請求項２】
前記第１のアクセスネットワーク領域に関連付けられた、トラヒック負荷及び／または無線資源消費及び／または少なくとも１つの無線トラヒックチャネルの特性に関連する少なくとも１つのパラメータＰ１の少なくとも１つのパラメータ値Ｘ１を含む少なくとも１つの無線資源情報メッセージＲＲＩＭを、前記第１のアクセスネットワーク領域から受信し、
少なくとも前記パラメータ値Ｘ１の関数である、前記基準Ｃを定義する、
ステップをさらに含むことを特徴とする、請求項１に記載の方法。
【請求項３】
前記Ｘ２は、スループット（Ｋｂ／ｓ）、総サービスユーザ（ＵＴ）数、（例えばＷまたはＳＩＲとしての）干渉値、総チャネルアクセス衝突数、送信電力（Ｗ）、としての前記第２のアクセスネットワーク領域に関連付けられた総トラヒック負荷を表し、または送信電力（Ｗ）、総サービスＵＴ数、使用される符号若しくはサブキャリア若しくはタイムスロットの総数、としての第２のアクセスネットワーク領域に関連付けられた無線資源消費を表し、またはＳＮＲ値、ＳＩＮＲ値、ＢＥＲ値、ＦＥＲ値、スループット値（Ｋｂ／ｓ）、若しくはパケット遅延値（ｍｓ）としての無線チャネル品質を表すことを特徴とする、請求項１に記載の方法。
【請求項４】
前記Ｘ１は、スループット（Ｋｂ／ｓ）、総サービスユーザ（ＵＴ）数、（例えばＷまたはＳＩＲとしての）干渉値、総チャネルアクセス衝突数、送信電力（Ｗ）、としての前記第１のアクセスネットワーク領域に関連付けられた総トラヒック負荷を表し、または送信電力（Ｗ）、総サービスＵＴ数、使用される符号若しくはサブキャリア若しくはタイムスロットの総数、としての第１のアクセスネットワーク領域に関連付けられた無線資源消費を表し、またはＳＮＲ値、ＳＩＲ値、ＢＥＲ値、ＦＥＲ値、スループット値（Ｋｂ／ｓ）、若しくはパケット遅延値（ｍｓ）としての無線チャネル品質を表すことを特徴とする、請求項２または請求項３のいずれかに記載の方法。
【請求項５】
無線通信ネットワークにおいて無線アクセスネットワーク領域に接続された承認ネットワークノード（２６３５）内に位置し、前記第２のアクセスネットワーク領域のローカル承認ポリシーに従ってＵＴ（２４０）の前記第２のアクセスネットワーク領域へのアクセスを承認する承認エンティティＡ２により用いられる承認方法であって、前記方法は：
ＵＴ（２４０）からの前記第２のアクセスネットワーク領域へのアクセス要求を受信し、
前記ローカル承認ポリシーに従って前記ＵＴ（２４０）の前記第２のアクセスネットワーク領域へのアクセスが承認されているかを検証し、
前記通信ネットワークのネットワークノード（２３５）内に位置するマルチ無線資源管理エンティティであって、前記通信ネットワークにおける複数の承認領域についてグローバル承認ポリシーを規定するよう手配されるマルチ無線資源管理エンティティからの、前記ローカル承認ポリシーよりも優先されるグローバル承認ポリシー更新メッセージを受信し、
前記ローカル承認ポリシーに従い及び前記グローバル承認ポリシーに従って前記ＵＴ（２４０）の前記第２のアクセスネットワーク領域へのアクセスが承認される場合にのみ前記ＵＴ（２４０）の前記第２のネットワーク領域へのアクセスの承認を与える、
ステップを含むことを特徴とする方法。
【請求項６】
前記承認要求を前記ネットワークノード（２３５）内の前記マルチ無線資源管理エンティティへ転送し、
前記ＵＴ（２４０）の前記第２のアクセスネットワーク領域へのアクセスが認められるべきかどうかを示すアクセス許可識別子を前記ＵＴ（２４０）を識別するＵＴ識別子と共に含むアクセス応答メッセージの形式の前記グローバル承認ポリシー更新メッセージを前記ＭＲＲＭエンティティから受信する、
ステップをさらに含むことを特徴とする、請求項５に記載の方法。
【請求項７】
第１の承認エンティティＡ１がＵＴのアクセスを承認する統合無線通信ネットワーク内の第１のアクセスネットワーク領域と通信するよう手配され及び第２の承認エンティティＡ２がＵＴのアクセスを承認する前記通信ネットワーク内の第２のアクセスネットワーク領域と通信するよう手配されるネットワークノード（２３５）であって、請求項１〜４のいずれかに記載の方法を実行する手段を備える前記ネットワークノード（２３５）。
【請求項８】
保存されるプログラムコード手段を有するデータ保存手段を備え、及び処理手段であって前記プログラムコード手段が前記処理手段に読み込まれた場合に請求項１〜４のいずれかに記載の方法を実現する少なくとも１つの手続を実行するようになる前記処理手段を備える、請求項７に記載のネットワークノード（２３５）。
【請求項９】
さらに前記第１のアクセスネットワーク領域と第１のデータポート（６００２）を介して通信し及び前記第２のアクセスネットワーク領域と第２のデータポート（６００３）を介して通信するよう手配される無線ネットワーク制御部ＲＮＣ（６３０）として手配される、請求項７または請求項８に記載のネットワークノード（２３５）。
【請求項１０】
保存されるプログラムコード手段を有するデータ保存手段を備え、及び処理手段であって前記プログラムコード手段が前記処理手段に読み込まれた場合にさらに請求項５または請求項６のいずれかに記載の方法を実現する少なくとも１つの手続を実行するようになる前記処理手段を備える、請求項９に記載のネットワークノード（６３０）。
【請求項１１】
承認ネットワークノード（２６３５）内に位置する第２の承認エンティティＡ２がＵＴのアクセスを承認する統合無線通信ネットワーク内の第２のアクセスネットワーク領域と通信するよう手配される前記ネットワークノード（２６３５）であって、請求項５または請求項６のいずれかに記載の方法を実行する手段を備える前記承認ネットワークノード（２６３５）。
【請求項１２】
第１の承認エンティティＡ１がＵＴのアクセスを承認する第１のアクセスネットワーク領域と接続され及び第２の承認エンティティＡ２がＵＴのアクセスを承認する第２のアクセスネットワーク領域と接続されるネットワークノード（２３５）である、統合無線通信ネットワークの前記ネットワークノード（２３５）の処理手段に読み込まれた場合に、請求項１〜４のいずれかに記載の方法を実現する少なくとも１つの手続を前記処理手段に実行させるプログラムコード手段を備える、コンピュータプログラム製品。
【請求項１３】
前記ネットワークノード（２６３５）内に位置する第２の承認エンティティＡ２がＵＴのアクセスを承認する統合無線通信ネットワーク内の第２のアクセスネットワーク領域と通信するよう手配される承認ネットワークノード（２６３５）の処理手段に読み込まれた場合に、請求項５または請求項６のいずれかに記載の方法を実現する少なくとも１つの手続を前記処理手段に実行させるプログラムコード手段を備える、コンピュータプログラム製品。
【国際調査報告】
2008547354.tif 000016
2008547354.tif 000017
2008547354.tif 000018
2008547354.tif 000019